(57)【要約】  本発明は、物質を分注するための分注デバイスを用いて、投与可能な好ましくは薬剤の物質の以下で分注過程と呼ぶ分注の実際の又は模擬的な準備、実行、及び／又は後処理をモニタするためのシステム、検出デバイス、方法、使用、及びコンピュータプログラム製品に関するものであり、それによって分注デバイスは、分注過程内で分注デバイスの特質又はその状態変化に固有の少なくとも１つの音事象を音響信号内に発生させるように設計された少なくとも１つの音発生器を有し、検出デバイスは、分注デバイスの特質又はその状態変化の検出を可能にするために少なくとも１つの音事象に関して音響信号を検査するためのものである。【選択図】図１
2021533909.tif 000002
【特許請求の範囲】
【請求項１】
投与可能な好ましくは薬剤の物質（２）の以下で分注過程と呼ぶ分注の実際の又は模擬的な準備、実行、及び／又は後処理をモニタするためのシステム（１）であって、
前記物質（２）を分注するための分注デバイス（３）であって、該分注デバイス（３）の特質又はその状態変化に固有である少なくとも１つの音事象（５Ａ−５Ｅ）を音響信号（６）内に前記分注過程内で発生させるように設計された少なくとも１つの音発生器（４Ａ−４Ｅ）を有する前記分注デバイス（３）と、
前記分注デバイス（３）の前記特質又はその状態変化の検出を可能にするために前記少なくとも１つの音事象（５Ａ−５Ｅ）に関して前記音響信号（６）を検査するための検出デバイス（７）と、
を有することを特徴とするシステム（１）。
【請求項２】
前記音発生器（４Ａ−４Ｅ）は、前記分注過程での前記１又は複数の音事象（５Ａ−５Ｅ））が必然的にかつ再現可能な方式で発生されるように設計されることを特徴とする請求項１に記載のシステム。
【請求項３】
前記音発生器（４Ａ−４Ｅ）は、前記分注過程に必要とされない及び／又は前記音事象（５Ａ−５Ｅ）の前記発生のために特別に設計された構造体であることを特徴とする請求項１から請求項２のいずれか１項に記載のシステム。
【請求項４】
前記分注デバイス（３）の保護要素（３Ｄ）が、前記音発生器（４Ａ−４Ｅ）を有する又は形成し、該保護要素（３Ｄ）は、前記物質（２）が初期状態で分注されないようにし、かつ前記音事象（５Ａ−５Ｅ）の前記発生を伴って該物質（２）の前記分注を有効化するための有効化状態に移ることができることを特徴とする請求項１から請求項３のいずれか１項に記載のシステム。
【請求項５】
前記音発生器（４Ａ−４Ｅ）は、互いから分離されて前記分注過程の進行中に時間的に互いに前後する２よりも多い音事象（５Ａ−５Ｅ）のシーケンスを前記音響信号（６）内に発生させるように構成されることを特徴とする請求項１から請求項４のいずれか１項に記載のシステム。
【請求項６】
前記分注デバイス（３）は、時間的に互いに前後する前記分注過程の異なるフェーズで第１の音事象（５Ａ−５Ｅ）と第２の好ましくは該第１のものとは異なる音事象（５Ａ−５Ｅ）とが発生されるように設計された少なくとも２つの異なる音発生器（４Ａ−４Ｅ）を有することを特徴とする請求項１から請求項５のいずれか１項に記載のシステム。
【請求項７】
前記検出デバイス（７）は、前記少なくとも１つの音事象（５Ａ−５Ｅ）に関して前記音響信号（６）を検査することによって前記分注デバイス（３）の前記特質又はその状態変化を検出するように設計されることを特徴とする請求項１から請求項６のいずれか１項に記載のシステム。
【請求項８】
前記検出デバイス（７）は、前記音事象（５Ａ−５Ｅ）と類似であるか又はそこから導出される該音事象（５Ａ−５Ｅ）に対応する既知の情報である１又は２以上の音事象パターン（１７Ａ，１７Ｂ）に対して前記音響信号（６）を比較し、このようにして該音響信号（６）内の前記少なくとも１つの音事象（５Ａ−５Ｅ）を検出するように設計されることを特徴とする請求項７に記載のシステム。
【請求項９】
前記検出デバイス（７）は、前記１又は２以上の音事象パターン（１７Ａ、１７Ｂ）との前記音響信号（６）の相関を発生させるための相関モジュール（１６）を有することを特徴とする請求項８に記載のシステム。
【請求項１０】
前記検出デバイス（７）は、前記少なくとも１つの音事象（５Ａ−５Ｅ）が前記音響信号（６）内に検出された時に該検出された音事象（５Ａ−５Ｅ）に基づいて前記分注デバイス（３）の前記特質又はその状態変化を決定するように設計されることを特徴とする請求項７から請求項９のいずれか１項に記載のシステム。
【請求項１１】
前記検出デバイス（７）は、前記検査で検出された複数の音事象（５Ａ−５Ｅ）を予め決められたシーケンス又は順序に関して調べるための分析デバイス（１５）を有する又は形成することを特徴とする請求項１から請求項１０のいずれか１項に記載のシステム。
【請求項１２】
前記システム（１）が、同一の音事象（５Ａ−５Ｅ）又は音響信号（６）を前記物質（２）に対して同じ特質を有する同一の又は類似の分注デバイス（３）によって発生させることができ、かつ異なる音事象（５Ａ−５Ｅ）及び／又は音響信号（６）を該物質（２）に対して異なる特質を有する該同一の又は類似の分注デバイス（３）によって発生させることができるように、該物質（２）及び該音発生器（４Ａ−４Ｅ）に対して区別されたかつ他に同一に又は類似に設計された複数の分注デバイス（３）を有することを特徴とする請求項１から請求項１１のいずれか１項に記載のシステム。
【請求項１３】
請求項１から請求項１２のいずれか１項に記載のシステム（１）の前記分注デバイス（３）の音発生器（４Ａ−４Ｅ）によって発生され、かつ前記分注デバイス（３）の特質又はその状態変化に固有である音事象（５Ａ−５Ｅ）に関して音響信号（６）を検査するための検出デバイス（７）であって、
投与可能な好ましくは薬剤の物質（２）の前記分注デバイス（３）を用いて実行される分注過程を検出するためのものである、
ことを特徴とする検出デバイス（７）。
【請求項１４】
投与可能な好ましくは薬剤の物質（２）の以下で分注過程と呼ぶ分注の実際の又は模擬的な準備、実行、及び／又は後処理をモニタする方法であって、
音響信号（６）が、前記分注デバイス（３）の特質又はその状態変化に固有であって前記分注過程の場合に発生させることができる音事象（５Ａ−５Ｅ）に関して調べられる、
ことを特徴とする方法。
【請求項１５】
前記分注デバイス（３）の特質又はその状態変化に固有である少なくとも１つの音事象（５Ａ−５Ｅ）であって、該分注デバイス（３）の特質又はその状態変化の検出を可能にするために、投与可能な好ましくは薬剤の物質（２）の以下で分注過程と呼ぶ分注の実際の又は模擬的な準備、実行、及び／又は後処理の場合に該分注システム（３）の音発生器（４Ａ−４Ｅ）を使用して発生させることができる前記少なくとも１つの音事象（５Ａ−５Ｅ）に関して音響信号（６）を検査するための携帯端末デバイス、好ましくは、スマートフォン、タブレットコンピュータ、及び／又はウェアラブルデバイス、特にスマートウォッチ又はフィットネスアームバンドの使用。
【請求項１６】
投与可能な好ましくは薬剤の物質（２）を分注するための分注デバイス（３）のための特にキャップ状及び／又はカバー形態の保護要素（３Ｄ）であって、
前記分注デバイス（３）の特性及び／又はその状態変化に固有である少なくとも１つの再現可能な音事象（５Ａ−５Ｅ）を音響信号（６）内に前記物質（２）の分注の実際の又は模擬的な準備の時に発生させるように設計された音発生器（４Ａ−４Ｅ）を有する又は形成する、
ことを特徴とする保護要素（３Ｄ）。
【請求項１７】
前記保護要素（３Ｄ）が、前記分注デバイス（３）の初期状態で前記物質（２）が分注されないように構成され、かつ前記音事象（５Ａ−５Ｅ）の発生を伴って該物質（２）の該分注を有効にするための有効化状態に移ることができることを特徴とする請求項１６に記載の保護要素。
【請求項１８】
前記保護要素（３Ｄ）が、前記保護要素（３Ｄ）を前記分注デバイス（３）の主本体（３Ｈ）から取り外す時に前記音事象（５Ａ−５Ｅ）を発生させるように構成され、該発生された音事象（５Ａ−５Ｅ）は、前記保護要素（３Ｄ）を該主本体（３Ｈ）から取り外すのに使用される速度、力、及び／又は他の外部パラメータとは独立であることを特徴とする請求項１６又は請求項１７に記載の保護要素。
【請求項１９】
前記保護要素（３Ｄ）が、起動位置を有し、前記保護要素（３Ｄ）が、該起動位置に到達した後に自動的に、即座に、及び／又は必然的に前記音事象（５Ａ−５Ｅ）を発生させるように構成され、該発生された音事象（５Ａ−５Ｅ）は、前記保護要素（３Ｄ）が操作される方式とは独立であることを特徴とする請求項１６から請求項１８のいずれか１項に記載の保護要素。
【請求項２０】
前記保護要素（３Ｄ）が、前記起動位置に到達するように前記保護要素（３Ｄ）を操作することによって起動されるように、及び／又は前記保護要素（３Ｄ）が該起動位置に到達した後で自動的に、即座に、及び／又は必然的に前記音事象（５Ａ−５Ｅ）の発生を引き起こすように構成された駆動要素（２７）、特にバネを有することを特徴とする請求項１６から請求項１９のいずれか１項に記載の保護要素。
【請求項２１】
前記保護要素（３Ｄ）が、初期位置と起動位置の間で互いに対して移動可能である第１及び第２の部分（２８，２９）を有することを特徴とする請求項１６から請求項２０のいずれか１項に記載の保護要素。
【請求項２２】
前記第１の部分（２８）は、キャップであり、前記第２の部分（２９）は、該キャップ内に配置されたスリーブであり、前記保護要素（３Ｄ）が、該スリーブが該キャップから取り外されるのを防止するためのラッチ機構又はストップを有することを特徴とする請求項２１に記載の保護要素。
【請求項２３】
前記音発生器（４Ａ−４Ｅ）は、前記初期位置から前記起動位置の中への前記保護要素（３Ｄ）の移動の後に及び／又は該起動位置から該初期位置までの前記保護要素（３Ｄ）の復帰時に前記音事象（５Ａ−５Ｅ）を発生させるように構成されることを特徴とする請求項２１又は請求項２２に記載の保護要素。
【請求項２４】
前記保護要素（３Ｄ）が、前記起動位置から前記初期位置までの前記保護要素（３Ｄ）の前記移動の速度及び／又は加速度を制御する、減衰させる、及び／又は低減するための減衰デバイスを有することを特徴とする請求項２１から請求項２３のいずれか１項に記載の保護要素。
【請求項２５】
前記保護要素（３Ｄ）が、前記初期位置から前記起動位置の中への前記保護要素（３Ｄ）の移動時に前記音発生器（４Ａ−４Ｅ）の音発生要素（３２Ａ，３２Ｂ）が相互作用しないようにかつ該起動位置から該初期位置までの前記保護要素（３Ｄ）の移動時に該音発生要素（３２Ａ，３２Ｂ）が相互作用して特に機械的相互作用によって前記音事象（５Ａ−５Ｅ）を発生させるように構成されたガイド（３６Ａ−３６Ｃ）を有することを特徴とする請求項２１から請求項２４のいずれか１項に記載の保護要素。
【請求項２６】
前記音発生器（４Ａ−４Ｅ）は、前記保護要素（３Ｄ）に取り付け可能であり、前記保護要素（３Ｄ）から取り外し可能であり、及び／又は交換可能である１又は２以上の音発生要素（３２Ａ，３２Ｂ）を有することを特徴とする請求項１６から請求項２５のいずれか１項に記載の保護要素。
【請求項２７】
前記音発生器（４Ａ−４Ｅ）は、電気音響変換器（４２）を有する又はそれによって形成され、前記保護要素（３Ｄ）が、スイッチ（３９）と電子機器（４０）を有し、該スイッチ（３９）は、前記保護要素（３Ｄ）を前記主本体（３Ｈ）から取り外す時に作動されるように構成され、該電子機器（４０）は、前記音事象（５Ａ−５Ｅ）が該スイッチ（３９）の作動時に発生されるように該電気音響変換器（４２）を制御するように構成されることを特徴とする請求項１６から請求項２６のいずれか１項に記載の保護要素。
【請求項２８】
前記音発生器（４Ａ−４Ｅ）及び／又は電気音響変換器（４２）は、超音波範囲の周波数、特に約２０ｋＨｚの周波数を有する音事象（５Ａ−５Ｅ）を発生するように構成されることを特徴とする請求項２７に記載の保護要素。
【請求項２９】
投与可能な好ましくは薬剤の物質（２）を分注するための分注デバイス（３）であって、前記分注デバイスが、主本体（３Ｈ）と好ましくはキャップ状である及び／又はカバー形態にある保護要素（３Ｄ）とを有し、前記分注デバイス（３）が、該物質（２）の分注の実際の又は模擬的な準備の時に前記分注デバイス（３）の特性及び／又はその状態変化に固有である少なくとも１つの再現可能な音事象（５Ａ−５Ｅ）を音響信号（６）内に発生させるように設計された少なくとも１つの音発生器（４Ａ−４Ｅ）を有する前記分注デバイス（３）であって、
前記保護要素（３Ｄ）は、請求項１６から請求項２８のいずれか１項に従って構成される、
ことを特徴とする分注デバイス（３）。
【請求項３０】
前記分注デバイス（３）が、前記保護要素（３Ｄ）及び／又は前記第１の部分（２８）を前記主本体（３Ｈ）から取り外す過程の時に該保護要素（３Ｄ）を前記起動位置の中に移動するように構成されることを特徴とする請求項２９に記載の分注デバイス。
【請求項３１】
前記分注デバイス（３）が、前記第１の部分（２８）を前記第２の部分（２９）及び／又は前記主本体（３Ｈ）に対して移動することによって前記保護要素（３Ｄ）が前記初期位置から前記起動位置まで移動される間に、該保護要素（３Ｄ）及び／又は該第１の部分（２８）を該主本体（３Ｈ）から取り外す過程の時に該第２の部分（２９）を該主本体（３Ｈ）に対して固定位置に保持するように構成されることを特徴とする請求項２９又は請求項３０に記載の分注デバイス。
【請求項３２】
前記分注デバイス（３）が、前記保護要素（３Ｄ）が前記起動位置に到達した又は起動位置及び該保護要素（３Ｄ）及び／又は第１の部分（２８）が前記主本体（３Ｈ）から離れるように更に移動された時に前記第２の部分（２９）を解除するように構成されることを特徴とする請求項２９から請求項３１のいずれか１項に記載の分注デバイス。
【請求項３３】
請求項２９から請求項３２のいずれか１項に記載の分注デバイス（３）を有することを特徴とする請求項１から請求項１２のいずれか１項に記載のシステム。
【発明の詳細な説明】
【技術分野】
【０００１】
本発明は、投与可能な好ましくは薬剤の物質の分注の実際の又は模擬的な準備、実行、及び／又は後処理のモニタに関する。
【０００２】
本発明は、特に、分注デバイスの作動モニタに関連して又は遵守又は固守とも呼ばれるいわゆる患者遵守の決定に関連して投与可能物質の分注をモニタすることに関する。
【背景技術】
【０００３】
作動モニタの場合に、投与可能な又は薬剤の物質の実際の又は模擬的な分注の過程は、適正な又は完全な作動、特に投与を示す又は示さないインジケータに関してモニタされる。
【０００４】
患者遵守を決定するために、薬物が服用される程度及び／又はその間隔がモニタされる。特に、モニタの結果、すなわち、実際の投与又は薬物に関する情報は、引き続いて検査され、投与又は薬物が例えば医師の処方箋の形態で存在することができる事前設定値に相当するか否か、又はそれがそこから逸脱するか否かを確認することができる。
【０００５】
作動モニタの結果又は決定された患者遵守に基づいて、措置を自動的に導入することができる。そのような措置は、特に、誤動作がある、それは技術的欠陥又は作動エラーによる可能性があるが、又は薬物の投与が事前設定値から逸脱していると決定された時に導入される。
【０００６】
作動モニタの結果及び決定された患者遵守の両方は、ユーザ（患者）又は医師又は医療システムのような第三者に通知する又は警告するための手段として使用することができる。
【０００７】
ＵＳ  ７、００２、４７６  Ｂ２は、無線制御のための送受信機に結合された薬剤−分注デバイスに関するものであり、送受信機は、サーバから１組の制御データにアクセスする。分注された薬物の使用方法に関して送受信機を通じてユーザに命令するために、１組の命令がダウンロードされる。
【０００８】
薬物を保護するために、時間経過後に可聴又は可視表示を与えることができる。
【０００９】
ＵＳ  ７、０９３、７３６  Ｂ２は、２つの位置の間で移動することができるブリスターを有する配置に関するものである。サイクル期間が終了した時に警告が与えられる。警告ユニットは、薬物を取り出す目的でブリスターがアクセスされた時に後退する。この目的のために、ブリスターへのアクセスをモニタするように設計された機構とセンサシステムとを有する専用デバイスが提案されている。
【先行技術文献】
【特許文献】
【００１０】
【特許文献１】ＵＳ  ７００２４７６  Ｂ２
【特許文献２】ＵＳ  ７０９３７３６  Ｂ２
【発明の概要】
【発明が解決しようとする課題】
【００１１】
本発明の目的は、投与可能物質の実際の又は模擬的な分注のモニタを簡易化する又は改善することである。
【課題を解決するための手段】
【００１２】
この目的は、請求項１又は３３に記載のシステム、請求項１３に記載の検出デバイス、請求項１４に記載の方法、請求項１５に記載の使用、請求項１６に記載の保護要素、又は請求項２９に記載の分注デバイスによって達成される。有利な更なる発展は、従属請求項の主題である。
【００１３】
本発明の第１の態様は、投与可能な好ましくは薬剤の物質の分注の実際の又は模擬的な準備、実行、及び／又は後処理の好ましくは音響的なモニタのためのシステムに関する。分注のこの実際の又は模擬的な準備、実行、及び／又は後処理は、以下では用語「分注過程」の下で結合される。
【００１４】
提案するソリューションによるシステムは、一方で物質を分注するための分注デバイスと、他方で音響信号を検査するための検出デバイスとを有する。
【００１５】
本発明の観点では、用語「分注デバイス」は、投与目的で物質を分注するように設計されたデバイスとして定義される。分注デバイスは、好ましくは、（いずれの場合も）その量、その容積、及び／又はその形態に起因して患者への完全な及び／又は直接の投与に適切である物質の１又は２以上の投与量又は部分を分注するためのデバイスである。
【００１６】
すなわち、用語「分注デバイス」は、一方では、投与目的で薬剤の又は他の投与可能な物質をそこから取り出すことができるブリスターのようなパッケージ又はリザーバのような容器を含む。この場合に、物質は、例えばカプセル又は錠剤として個別の個々の投与量で又は粉末又は顆粒の形態で特に手動で取り出すことができる。分注デバイスの追加の例は、自己注射器及び注射器のような注射システム、噴霧器、吸入器、又は液体、クリーム、又はゲルのための分注器である。
【００１７】
本発明の観点では、用語「実際の分注」は、後者が物質の投与に至る又は至ることになることとして定義される。この場合に、これは、注入液の注入、吸入可能な物質の噴霧化、又は手動で取り扱うことができる物質のパッケージからの取り出しとすることができる。
【００１８】
本発明の観点では、用語「模擬的な分注」は、この場合に、試験又は訓練のための投与可能物質のための分注デバイスの作動であって、この作動が物質の投与に至る又は至ることができることのない又は物質がプラセボであるものとして定義される。しかし、この作動は、実際の分注又は投与のための分注デバイスの作動と同じ方法で又は同様に行われる。この場合に意味することは、特に、プラセボ、例えば、吸入訓練のためのプラセボ吸入器又は注射訓練のためのプラセボ自己注射器を含有する分注デバイスの準備及び作動である。
【００１９】
以下で「分注」のみを意味する時に、これは、何らかの他のものが明示的に説明されるか又は関連から明らかでない限り、実際の分注、模擬的な分注、又は模擬的な分注と実際の分注との組合せを含む。
【００２０】
「投与可能物」は、好ましくは、それが患者（ヒト又は動物）への直接適用又は患者による直接摂取に適切であるかつ意図している、及び／又は個人用途、医療用途、又は臨床用途に関して通常である投与形態及び量で存在する時の物質である。
【００２１】
提案するソリューションによる分注デバイスは、少なくとも１つの音発生器を有する。本発明の観点では、音響信号内に音事象を発生させる又はトリガするように設計された構造を「音発生器」と呼ぶ。
【００２２】
この場合に、音発生器は、音発生を目的に特別に設定することができ、又は別の主要目的に使用されるが、使用された時に音事象を発生させる又はトリガする構造によって形成することができる。音発生器は、１又は２以上の部品に及び分注デバイス及び／又は後者のパッケージングの１又は２以上の位置に配置することができる。
【００２３】
音発生器は、互いに対応するかつ互いに対して相対的に移動又は分離の場合に音事象を生成する又はトリガする少なくとも２つの部分又は区画から構成されることが好ましい。
【００２４】
本発明の観点では、音波の発生と発生された音波とをまとめて「音事象」と呼ぶ。明確にするために、用語「音事象」は、従って、音響振動を励起する過程とこのようにして生成された伝播音波の結果とを組み合わせるが、それは、後者が互いに直接に対応しないからである。
【００２５】
音事象は、限定された時系列トレースにわたって延びることができる。音事象は、好ましくは音響パルス、インパルス、及び／又は一時的な性質のものである。音事象は、好ましくは短く、例えば、１０秒、５秒、又は２秒よりも短い。それはまた、１秒又は０．５秒よりも短い可能性がある。
【００２６】
音事象は、好ましくは可聴である及び／又は市販のマイクロフォンによって例えば１００Ｈｚと２０ｋＨｚの間の電気信号に変換することができる周波数を有する音波を発生させる又は好ましくはその音波である。これに代えて又はこれに加えて、音事象は、例えば２０ｋＨｚと２００ｋＨｚの間の超音波を発生させる又はその超音波であるとすることができる。
【００２７】
音事象は、ノイズ又はトーンであるとすることができる。例えば、音事象は、クリッキング音、クラッキング音、ポッピング音、ヒッシング音、ブザー音、又はビープ音である。
【００２８】
本発明の観点では、「音響信号」は、音波又はそれに対応する情報、例えば、対応する電流又は対応する電圧、スペクトル、又は音波のデジタルペンダントである。従って、音響信号は、音波として存在することも、電流及び／又は電圧の形態で変換されることも、及び／又はデジタルデータとしてデジタル化されることも可能であり、その場合に、より多くの電流及び／又は電圧及び／又はデータが音波に対応し、又は音波を表している。音響信号がデジタルデータ、データストリーム、オーディオサンプルのような形態で電気的及び／又はデジタル的に存在し、処理されることは、必須ではないが好ましい。
【００２９】
音響信号は、音事象を有する。これは、音響信号が音事象によって刻印されることで達成することができる。従って、音響信号は、音事象が区画の形態で有する又は音事象が音波の形態でその上に重畳される音波の時系列トレースであることが可能である。これに代えて又はこれに加えて、音響信号は、音波に対応する情報であり、この情報は、音事象に由来する情報を有する。
【００３０】
音事象は、分注デバイスの特質又はその状態変化に固有のものである。このようにして、音事象により、好ましくは分注デバイス又は物質の（明確な）識別、及び／又は分注デバイスの群又は部類への割り当てが可能になる。物質の識別可能性は、この場合は分注デバイスの特性であり、それは、後者が物質を有し、又はこの目的で設計されるからである。これに代えて又はこれに加えて、具体性に起因して、音事象により、トリガ、作動、アンロック、固定、物質放出、又はパッキング又はアンパッキングの形態での状態変化を検出することが可能になる。
【００３１】
音事象は、それが他の音源からの他の音波とは異なる場合に分注デバイスの特質又はその状態変化に固有のものであり、従って、音事象は、割り当て又は識別を可能にする。
【００３２】
用語「固有」は、すなわち、音事象が他の音事象とは異なるか又は他の音事象とは独立に識別可能であり、好ましくは、音事象を分注デバイスの特質又はその状態変化に割り当てることができ、その結果、音事象の検出により、分注デバイス、分注デバイス及び／又は物質の特質又は状態変化、又はそれらの群又は部類を識別することができるようになっていることを意味する。これは、特に、準備、分注、及び／又はトリガのような事象の検出又は区別を含む。
【００３３】
例えば、それ以外は同一の分注デバイスの場合に物質を区別するために、同じタイプの分注デバイスを様々な音発生器で設計して異なる物質の場合に異なる音事象を発生するようにすることができる。このようにして、それぞれの音事象は、物質に固有になる。
【００３４】
これに代えて又はこれに加えて、設計の異なる分注デバイスあっても同じ物質を識別することができるように、設計の異なる分注デバイスは、同一の音事象を発生する音発生器を有することができる。
【００３５】
同じく、同じ設計又は部類の分注デバイスは、同じ設計又は部類を検出するために同じ音事象を発生させる音発生器、及び／又は同じ設計又は部類の分注デバイスを互いに区別することができるように異なる音事象を発生させる音発生器を有することができる。
【００３６】
音発生器は、物質の分注の準備、実行、及び／又は後処理の場合に少なくとも１つの音事象を発生するように設計される。この発生は、分注過程での副生成物として生じることが好ましい。
【００３７】
本発明の観点では、「分注過程」という用語は、一般的に、物質の実際の又は模擬的な分注の準備、実行、及び／又は後処理を組み合わせる。ここで意味するのは、好ましくは必要な段階だけであり、すなわち、分注デバイスを適切に使用して物質を分注するために絶対的に必要な段階である。そのような絶対的に必要な段階は、準備に関してはパッケージング又は保護部分の取り外し、実施に関してはそれなしでは分注が行えないトリガ、及び／又は後処理に関しては分注デバイスの患者からの取り外し及び／又は再使用ための必要な措置とすることができる。
【００３８】
好ましくは、その又はいずれにせよ１つの音事象は、直接的分注の場合に又は物質の分注に直接付随する段階として生成される。従って、音発生器は、直接的分注の場合に又は物質の分注に直接付随する段階として音事象を発生させるように設計される。ここでの例は、分注のトリガ又は物質が分注デバイスから出る段階が挙げられる。しかし、全ての音事象が直接的分注又は物質の分注に直接に付随する段階に伴って発生する必要がある訳ではない複数の音事象が存在する場合がある。
【００３９】
同じく、提案するソリューションによるシステムは、少なくとも１つの音事象での音響信号を検査するための検出デバイスを有する。この検査により、分注デバイスの特質又はその状態変化を検出する又は割り当てることができ、すなわち、これは、検出デバイスによって実行される。
【００４０】
特に、検出デバイスは、少なくとも１つの音事象での音響信号を検査することにより、分注デバイス、分注デバイス及び／又は物質の特質又は状態変化を検出する又は区別する。
【００４１】
言い換えれば、検出デバイスは、従って、分注デバイスに由来し、音響発生器によって生成される音事象での音響信号を分注デバイス及び／又は物質の特質又は状態変化に固有な音事象を有するか否かについて検査して検出するように設計される。
【００４２】
特質又は状態変化の「検出又は割り当て」は、原則として、特定の分注デバイス又は物質の個体識別、又は特定の群又はタイプの分注デバイス又は物質の中での１つの分注デバイス又は物質の検出である又はそれを含むことができる。従って、分注デバイスの特性の検出は、それ自体、分注デバイスの検出とすることができるが、それによって逆に、分注デバイスに関連する例えば直接的分注のような事象が逆に検出されるということであり、いずれにせよ、分注デバイス又はその群又は部類及び／又は物質、これに加えて特定の状態又は特定の状態変化も検出される。少なくとも１つの音事象に対する音響信号を検査することにより、音事象は、それが分注過程に由来する場合にのみ検出されることが好ましい。
【００４３】
従って、本発明の観点では、「検出デバイス」は、第１に音響信号を分析するように設定されたデバイスである。それは、例えば、プロセッサ、特に信号プロセッサ、又はこの範囲の機能を達成するために音響信号を処理して評価するための他の分析手段を有することができる。同じく、検出デバイスは、検査のために特別に設定される。すなわち、検出デバイスは、必要に応じて追加の情報に基づいて音響信号中の異なる音事象を区別し、又は特定の音事象を検出し、又は他の音事象と区別するのに適切である。
【００４４】
音事象を検出することができるように、検出デバイスは、音事象パターンの形態の対応する情報を有することが好ましい。この音事象パターンは、音事象の識別特性とすることができる。この音事象パターンを使用して、検出デバイスは、音響信号を比較し、音響信号中に音事象が現れる時を検出することができる。
【００４５】
提案するソリューションによるシステムは、音響信号を調べることにより、物質を分注する分注過程のモニタを有利な方法で可能にする。従って、正しい物質が投与されたか否か、及び／又は投与が全く行われなかったか否か、及び必要に応じてそれが正しく、すなわち、指定された通りに行われたか否かを検査することが容易に可能である。
【００４６】
この場合に、検出デバイスは、スマートフォン又は別の特に携帯可能なマイクロフォン及びプロセッサを有するデバイスにより、特に簡単かつ有効な方法で製造することができる。従って、分注デバイスでの特定ハードウエア又は電子機器の高価な実施を回避することができる。検出デバイスは、検出デバイスの機能を達成することができる１又は２以上の（ソフトウエア）モジュールを有することができる。
【００４７】
同じく、音響信号の検査及び音事象の検出は、検出デバイスで実施可能な又は外付けで又は他の何らかの方法で可能になる多くのアプリケーションを可能にする。一例では、検出された又は実行された分注過程は、事前設定値に対して調整されるか又は提供された又は事前設定された投薬を検査するために別の方法で使用される。これに代えて又はこれに加えて、検査又は検査の結果を使用して、分注デバイスの誤動作又は不正確な適用を検出し、必要に応じて誤差信号伝達などでトラブル対応を促す。
【００４８】
特定の音事象の発生させるために、多くの場合に、具体的には音発生のために分注過程の場合に特定の音事象が発生するように、有利な方法では既知の分注デバイスを全く修正しないか、ごく僅か修正するか、又は多くの準備された音事象又は音発生器のうちのいくつかを修正することで十分である。
【００４９】
その結果、提案するソリューションによるシステムは、確実に、迅速に、容易に、かつ大部分は既存のハードウエアを予想外の方法で使用して実施され、普遍的な使用を可能にし、すなわち、患者遵守（遵守／固守）のモニタ、作動のモニタ、及び／又は適用のモニタに関して特に有利である。
【００５０】
本発明の別の態様は、分注デバイス及び／又は物質に固有な１又は２以上の音事象に関して分注デバイスの音発生器によって発生する音響信号を調べることにより、本発明のシステムの分注デバイスで行われる好ましくは医薬物質の分注過程を検出するための検出デバイスに関する。
【００５１】
本発明の別の同じく独立に達成可能な態様は、分注デバイスを使用する投与可能な好ましくは薬剤の物質の実際の又は模擬的な分注をモニタする方法に関する。特に、この態様は、分注の検出に関連する。この場合に、音響信号は、分注デバイスの音発生器を使用して分注の準備、実行、及び／又は後処理を含む分注過程で発生させることができる音事象に関して分注デバイス、特質、分注デバイス及び／又は物質の状態変化、を検出する又は区別するために検査される。
【００５２】
本発明の別の同じく独立に達成可能な態様は、分注デバイスを使用して行われる投与可能な好ましくは薬剤の物質の実際の又は模擬的な分注を検出するための携帯端末デバイスの使用に関するものであり、この場合に、携帯端末デバイスは、音響信号を捕捉するのに、及び分注過程中に分注デバイスで発生させることができる及び分注デバイス、特質、分注デバイス及び／又は物質の状態変化、に固有である音事象に関して音響信号を調べるのに使用される。
【００５３】
本発明の別の同じく独立に達成可能な態様は、プログラムコード手段を有するコンピュータプログラム製品に関するものであり、プログラムコード手段は、実施された時に提案するソリューションによる方法を実行する。特に、これは、好ましくは不揮発性コンピュータ可読ストレージ媒体であり、プロセッサ上に実施された時に提案するソリューションによる方法の段階を実施する又は達成する命令を特にコードの形態で有する。
【００５４】
本発明の別の同じく独立に達成可能な態様は、投与可能な好ましくは薬剤の物質を分注するための分注デバイスのための保護要素に関する。好ましくは、保護要素は、キャップ状に構成される及び／又はカバー又は蓋の形態である。保護要素は、物質の分注の実際の又は模擬的な準備の時に音響信号内に少なくとも１つの再現可能な音事象を発生させるように設計された音発生器を有するか又は形成し、音事象は、分注デバイスの特質及び／又は状態変化に固有である。
【００５５】
保護要素は、分注デバイスの本体から保護要素を取り外す時に音事象を発生させるように構成されることが好ましく、発生する音事象は、本体から保護要素を取り外すのに使用される速度、力、及び／又は他の外部パラメータとは独立である。これは、再現性のある音事象の発生と音事象の確実な検出とに寄与する。
【００５６】
保護要素は、初期位置と起動位置の間で互いに対して移動することができる第１の部分と第２の部分を有することが好ましく、初期位置と起動位置は、保護要素の異なる位置であることが好ましい。これは、再現可能な音事象の発生を支援する。
【００５７】
音発生器は、初期位置から起動位置までの保護要素の移動後に及び／又は起動位置から初期位置までの保護要素の復帰時に音事象を発生させるように構成されることが好ましい。これは、音事象の再現性のある発生に寄与する。
【００５８】
本発明の別の同じく独立に達成可能な態様は、投与可能な物質を分注するための分注デバイスに関する。分注デバイスは、本体と、特に上述のように構成された保護要素とを有する。
【００５９】
本発明の別の同じく独立に達成可能な態様は、分注デバイスを有するシステムに関する。
【００６０】
本発明の観点では、ヒト又は動物の身体による摂取又は体内への他の投与に適する物質を「投与可能物質」と呼び、この物質は、特に液体又は懸濁液、例えばエアロゾル形成又は注射のためのもの、錠剤、カプセル、粉末、又は顆粒の形態で存在することができる。
【００６１】
本発明は、かなり好ましくは、薬物の形態の医薬物質の投与に関連するが、原理的にはこれに限定されない。従って、本発明又はその態様は、薬物の投与とは独立に有利であるものとすることができる。従って、本発明の観点では、用語「投与可能物質」は、医薬剤に加えて、投与可能であるが厳密には医薬ではない物質も含む。
【００６２】
本発明の観点では、「医薬」物質は、ヒト又は動物の病気を治すための又は予防するための有効成分を有する医薬剤又は薬物である。好ましくは、本発明の観点では、医薬剤の剤形と対応する剤形の栄養補助食品も医薬物質の一種であると見なされる。これに代えて又はこれに加えて、物質は、化粧品である可能性がある。
【００６３】
本発明の追加の利点、態様、及び特性は、特許請求の範囲から及び図面に基づく好ましい実施形態の以下の説明からもたらされる。
【図面の簡単な説明】
【００６４】
【図１】提案するソリューションによるシステムを示す図である。
【図２Ａ】図１の提案するソリューションによるシステムの分注デバイスを示す図である。
【図２Ｂ】図２Ａによる分注デバイスの部分断面図である。
【図３】検出デバイスの概略図である。
【図４】図１に従って提案するソリューションによるシステムをパッケージ化された分注システムと共に示す図である。
【図５】図４に従って提案するソリューションによるシステムを開封されたパッケージングと共に示す図である。
【図６】パッケージ化された分注デバイスを有する提案するソリューションによるシステムを使用して分注過程によって音響信号を生成することができる時の音響信号の時系列トレースを示す図である。
【図７】提案するソリューションによる別の分注デバイスを示す図である。
【図８Ａ】第３の実施形態による分注デバイスを初期状態に示す図である。
【図８Ｂ】第３の実施形態による分注デバイスを中間状態に示す図である。
【図８Ｃ】第３の実施形態による分注デバイスを有効化状態に示す図である。
【図９】第３の実施形態による分注デバイスの分解組立図である。
【図１０】提案するソリューションによる保護要素の第１の部分及び第２の部分の分解組立図である。
【図１１Ａ】初期位置での保護要素の概略断面図である。
【図１１Ｂ】起動位置での保護要素の概略断面図である。
【図１２Ａ】図１１による保護要素の概略断面図を初期位置に示す図である。
【図１２Ｂ】図１１による保護要素の概略断面図を起動位置に示す図である。
【図１３】図１１による保護要素の底面図である。
【図１４】提案するソリューションによる保護要素の更に別の実施形態を模式的に示す図である。
【発明を実施するための形態】
【００６５】
図において同じか又は類似の部分は、同じか又は類似の参照番号で識別され、説明を繰り返さない場合でも類似の利点、特性、及び作用を有することができる。更に、概説の各部分で言及した定義及び記述を参照する。
【００６６】
図１は、投与可能な好ましくは薬剤の物質２に関する分注の準備、実行、及び／又は後処理を音響的にモニタするための提案するソリューションによるシステム１を示している。
【００６７】
システム１は、物質２を分注するための分注デバイス３を有する。分注デバイス３は、逆に、物質２の分注の準備、実行、及び／又は後処理の場合に分注デバイス３の特質又は状態変化に固有の少なくとも１つの音事象５を音響信号６内に発生させるために音発生器４を有する。
【００６８】
準備、実行、及び／又は後処理を以下では分注過程とも呼ぶ。しかし、物質２が分注システム３から出る段階を（直接的）分注と呼ぶ。
【００６９】
同じく、システム１は、分注デバイス３の特質又は状態変化の検出を可能にするために少なくとも１つの音事象５Ａ−５Ｅに関して音響信号６を検査する検出デバイス７を有することが好ましい。検出デバイス７は、少なくとも１つの音事象５に関して音響信号６を検査することにより、分注デバイス３、特質、分注デバイス３の状態変化、及び／又は物質の特性を検出する又は区別するように設計されることが好ましい。
【００７０】
図１による例では、分注デバイス３は、いわゆる自己注射器である。本発明をこの自己注射器に基づいて以下でより詳細に説明するが、原理的には、本発明は、他の分注デバイス３に対して対応する方法で適用することができる。
【００７１】
図２Ａが一例として自己注射器の形態で存在する分注デバイス３の図を示すのに対して、図２Ｂは、図２Ａの分注デバイス３の部分断面図を示している。
【００７２】
分注デバイス３は、図２Ｂによる断面図に示すように物質２の少なくとも１回分の投与可能な投与量、ここでは物質２で満たされて注射針３Ｂを有するカープル３Ａを有する。
【００７３】
分注デバイス３をトリガすることができ、そうすると物質２が投与される。この目的のために、注射針３Ｂを有するカープル３Ａは、分注デバイス３から急激に移動して患者の組織に入り込み、注射針３Ｂによってカープル３Ａの内容物、すなわち、物質２を注入するようになっている。
【００７４】
分注をトリガするために、分注デバイス３にはアクチュエータ３Ｃが設けられる。この図示の例では、アクチュエータ３Ｃはチューブ区画又はスリーブであり、これは、分注デバイス３が患者に取り付けられた時に、トリガするために分注デバイス３内に押し込まれ、このようにしてトリガ過程を引き起こし、それによってカープル３Ａが移動し、物質２が投与される。しかし、他の分注デバイス３の場合に、アクチュエータ３Ｃは別様に実施することができる。分注デバイス３の初期状態では、トリガは保護要素３Ｄによって防止される。この例での保護要素３Ｄは、物質２のトリガ及び／又は分注を防止するキャップである。
【００７５】
しかし、これに代えて又はこれに加えて、分注デバイス３の初期状態での分注又はトリガを防止する他の保護要素３Ｄを設けることができる。保護要素３Ｄは、その後のトリガ及び／又は分注を可能にするためにロックを解除することができる。図示の例では、キャップ形態の保護要素３Ｄが取り外され、保護要素３Ｄが取り外された時にのみ、又は取り外した状態でトリガが生じるものとすることができる。
【００７６】
分注デバイス３の保護要素３Ｄは、音発生器４Ａ又はそのうちの１つを有する又は形成することが好ましい。この場合に、保護要素３Ｄは、初期状態で物質３の分注を妨げることができ、音事象５Ａの発生に伴って物質２の分注を有効にする有効化状態に移されるものとすることができる。
【００７７】
保護要素３Ｄは、初期状態（ロックされた、押し込まれたキャップ）で保護要素３Ｄが配置される分注システム３の一部分と共に、ここでは音発生器４Ａを形成する。図示の例では、キャップは、他の分注デバイス３とシリンダ−ピストンユニットを成すように音発生器４Ａを形成し、それにより、キャップを取り外す又は開放する時に、キャップによって形成された中空空間内に低圧が発生する。完全な取り外し又は開放（有効化状態）に伴って周囲の空気がこの中空空間に流れ込み、それにより、キャップの開放又は取り外しに関して公知の落下音が発生する。
【００７８】
音発生器４Ａは、分注過程又は分注に必要とされない、分注に直接関連しない、及び／又は音事象５Ａを発生させるために特別に設計又は修正された構造体であることが好ましい。
【００７９】
この例では、音発生器４Ａは、音発生に固有であるか又はそのように修正された分注デバイス３の一構造体であり、分注デバイス３、特質、分注デバイス３及び／又は物質２の状態変化、に固有の音事象５Ａを発生させるように設計される。
【００８０】
この例では、音発生器４Ａは、面構造３Ｅ及び相補的構造３Ｆを有するか又はそのようにして形成され、これらの構造は、必要に応じて分注過程のために及び具体的にはこの目的で作動中の音、すなわち、分注デバイス３、特質、分注デバイス３及び／又は物質２の状態変化、に固有な方式で音発生器４Ａによって生成される音事象５Ａを発生させるか又は修正するように設計される。
【００８１】
この例では、保護要素３Ｄ（キャップの内壁）は、アンロッキング中に、ここでは、すなわち、キャップを取り外す又は開放する間に音事象５Ａが発生するか又は変化するように分注デバイス３の相補的構造３Ｆと相互作用する面構造３Ｅを有する。相補的構造３Ｆを伴う面構造３Ｅは、音発生器４Ａ又はその一部を形成する。
【００８２】
ここでは、一例として、互いに係合するリブ、ビーズ、又は溝が設けられている。キャップが取り外された状態で、これらは、保護要素３Ｄ又は分注デバイス３のハウジングの振動に至り、その結果、この振動によって生成されてこの振動に対応する音事象５Ａとしての音波をもたらす。
【００８３】
修正された構造によって生成されるこの音波は、実施例では落下音に先行し、それと部分的に重複する可能性がある。
【００８４】
このようにして又は類似の方法で、特定の音事象５Ａを特定の又は修正された構造で引き起こすことができ、分注デバイス３が分注に関するその設計に関連して同一である場合でも、面構造及び相補的構造３Ｅ、３Ｆの様々な可能な構成により、様々な音事象５Ａを引き起こすことができる。
【００８５】
しかし、いずれの場合にも、音発生器４Ａが、特定の音事象５Ａを発生させるように修正された構造を有することは必要ではない。特に、分注デバイス３の群又は部類の識別のために又はこれを使用する分注の識別のために、既存の分注デバイス３は、この目的で修正することなく、分注過程に伴う音事象５Ａをモニタ又は検出することで十分であるものとすることができる。その場合に、音発生器４Ａは、分注過程の場合に音を発生させる既存の構造体である。音事象５Ａは、特により複雑な分注デバイス３の場合に、検出のために十分に固有であるものとすることができる。
【００８６】
従って、音発生器４Ａ、４Ｂは、物質２の分注ために既に存在する、準備される、又は必要である分注デバイス３の構造であるか、又はこの目的で特別に形成される又は修正されるかのいずれかとすることができる。
【００８７】
音発生器４Ａは、分注過程での１又は複数の音事象５Ａが必然的にかつ再現可能な方式で発生するように設計されることが好ましい。
【００８８】
図示の例では、これは、音事象５Ａを発生させるトリガが生じる前に、保護要素３Ｄを作った音発生器４Ａをアンロックする（取り外す）必要があるような方法で達成される。
【００８９】
しかし、必要不可欠な音事象５Ａの発生は、何らかの他の方法で実施することができる。例えば、トリガ機構は、トリガに伴って音事象５Ｂが必然的に発生するように音発生器４Ｂを形成することができる（図１参照）。
【００９０】
トリガ機構の音発生器４Ｂ及び追加の又は異なる音発生器４Ａ、４Ｂについては、別段の記載がない限り又は関連から相反する結果になる場合を除き、保護要素３Ｄの音発生器４Ａに関連して説明する特徴及び特性が相応に適用される。
【００９１】
原理的に、音発生器４Ａ、４Ｂは、音を発生させるための様々な手段に基づく場合がある。特に、音発生器４Ａ、４Ｂは、ラチェット、フラッパー、振動ベル、ラトル、ホイッスル、又は再現性のある落下音、クラック音、クリック音、スクリーチ音、クラッター音、グラインド音、ラトル音、ヒッシング音、スクイーク音、ブーン音、ウィッスル音を発生させるための構造体であるか又はそれらを有する場合があり、又はスティック−スリップ効果に起因する振動であるか又はそれを有する場合がある。
【００９２】
例えば、トリガによって生成されてラチェットの形態で音発生器４Ｂに沿って移動する可動部分に起因して、分注デバイス３は音事象５Ｂとしてクラッター音を発生させることができる。対応する方法で、別の音発生器４Ｂを使用して物質２の分注を実行することによって又は実行中に別の特定の音事象５Ｂを生成することができる。
【００９３】
本発明の一態様では、分注デバイス３は、少なくとも２つの異なる音発生器４Ａ、４Ｂを有する。これらは、時間的に互いに前後する分注過程の様々な段階で第１の音事象５Ａと好ましくは時系列的に離間させた第２の好ましくは第１の音事象とは異なる音事象５Ｂとが発生するように設計されることが好ましい。
【００９４】
本発明の一態様では、分注デバイス３は、分注過程の進行中に（必然的に）時間的に互いに前後する少なくとも２又は３以上の音事象５Ａ、５Ｂを連続して発生させるために、複数の音発生器４Ａ、４Ｂ、又は複数の音発生器４Ａ、４Ｂを有するシーケンスシステムを有する。このようにして、音響信号６にはこのシーケンスが刻印される。
【００９５】
シーケンスシステムは、第１に２又は３以上の音発生器４Ａ、４Ｂから構成されるか又はそれらを有することができる。同じく、シーケンスシステム又は分注デバイス３は、分注過程中の音発生器４Ａ、４Ｂが特定のシーケンスで音事象５Ａ、５Ｂを発生させるように音発生器に結合されることが好ましい。この場合に、シーケンスシステムは、必ずしも別々のシステムではなく、むしろ、分注デバイス３の設計により、又はその構成要素によっても生成することができる。
【００９６】
図示の例では、分注デバイス３は、最初に保護要素３Ｄの第１の音発生器４Ａで第１の音事象５Ａが発生した後で、後に続く第２の音事象５Ｂがトリガ機構の第２の音発生器４Ｂで発生するか又は発生可能であり、結果としてそのようなシーケンスを形成するように設計される。この場合の分注デバイス３は、シーケンスシステムを設計により実施する。しかし、これに代えて、シーケンスシステムは別々の構成要素とすることができる。更に、２よりも多い音事象５Ａ、５Ｂを有するシーケンスを発生させるか又は分注デバイス３の場合にこの目的で音発生器４Ａ、４Ｂを設けるという別の可能性もある。
【００９７】
別の態様では、システム１は、好ましくは複数の分注デバイス３を有し、これらは、物質２及び音発生器４Ａ、４Ｂに対して区別されて又は他に同一に又は同様に設計される。このようにして、物質２に対して同じ特質を有する分注デバイス３により、同じ音響信号６を発生させることができる。更に、物質に対して様々な特性を有する分注デバイス３により、異なる音発生器４Ａ、４Ｂ、すなわち、異なる音響信号６を発生させることができる。それにより、他の点で少なくとも本質的に同一の分注デバイス３の場合に、様々な物質２自体の区別が可能になる。
【００９８】
音発生器４Ａ、４Ｂは、分注過程で音事象５Ａ、５Ｂを必然的にかつ再現可能な方式で特定のシーケンスで発生させることが好ましい。ここでは、これは、第１の音事象５Ａに対して、物質２の分注が行われ得るようになる前に保護要素３Ｄを取り外す又はアンロックする必要があるような方法で保証される。更に、これは、第２の音事象５Ｂに対して、第２の音事象５Ｂがそのようなものとして分注のトリガによって生成されるような方法で保証され、従って、物質２の分注は、第２の音発生器４Ｂによる第２の音事象５Ｂの発生を必然的に伴う。しかし、分注過程で音事象５Ａ、５Ｂのそのような必要かつ再現可能なシーケンスを実施するための他の可能性も存在する。
【００９９】
本発明の同じく独立に達成可能な態様は、分注デバイス３を使用して行われるか又は模擬される投与可能な好ましくは薬剤の物質２の分注の検出に関する。この場合に、音響信号６は、分注デバイス３、特質、分注デバイス３及び／又は物質２の状態変化、に固有な音響信号６内の音事象５Ａについて調べられる。
【０１００】
音響信号６が調べられる音事象５Ａ、５Ｂは、分注デバイス３、特質、分注デバイス３及び／又は物質２の状態変化、に関する、特に、分注デバイス３による物質２の分注又は物質２の分注過程に関する準備、実行、及び／又は後処理に固有又は特徴的である。音事象５Ａ、５Ｂは、この分注過程で発生することが好ましい。音事象５Ａ、５Ｂは、分注過程又はそのうちの段階に固有又は特徴的であることが好ましい。
【０１０１】
少なくとも１つの音事象５Ａ、５Ｂに関して音響信号６を調べることにより、結果として、分注デバイス３、特質、分注デバイス３及び／又は物質２の状態変化、を検出又は区別することができる。これは、分注デバイス３又は物質２の群又は部類の検出又は区別を含む。
【０１０２】
少なくとも１つの音事象５Ａ、５Ｂに関する音響信号６の検査による分注デバイス３、特質、または分注デバイス３の状態変化、及び／又は物質２の検出例を図１に基づいて以下でより詳細に説明する。
【０１０３】
フェーズＩでは、分注デバイス３を保護要素３Ｄでアンロックすることにより、分注デバイス３は、トリガのために準備される。保護要素３Ｄのこの準備又はアンロッキング、この例ではキャップの取り外しは、第１の音事象５Ａを発生させる。図示の例では、保護要素３Ｄにはこの目的でアンロッキング（キャップの取り外し）中に音事象５Ａを発生させるように設計かつ設定された音発生器４Ａが設けられる。
【０１０４】
音事象５Ａは、音響信号６において（図示の）音響振動によって表される。音事象５Ａは、音発生器４ａが音波を発生させてこれが音響信号６の一部を成すように音響信号６の中に移動する。
【０１０５】
図示の例では、分注デバイス３は、第１の音発生器４Ａとして保護要素３Ｄを有し、この要素は、好ましくはキャップ状に設計され、アンロッキング中に、すなわち、物質２の分注準備の場合に落下音を発生させる。既に説明したように、必要に応じて及び好ましくは特定の音事象５Ａ、ここでは修正された落下音を発生させるために、保護要素３Ｄを特別に設定又は修正することができる。
【０１０６】
図１によるフェーズＩＩでは、分注デバイス３がトリガされ、それは、次に、音事象５Ｂに至り、それは、図示の音響信号６において音響振動によって表される。この例では、自己注射器として設計された分注デバイス３は、アクチュエータ３Ｃを有して患者に取り付けることにより、又は別の方法でトリガされる。この場合の物質２のトリガ及び／又は直接的分注は、音事象５Ｂを生成する。
【０１０７】
第２の音事象４Ｂを発生させるために、分注デバイス３は第２の音発生器４Ｂを有し、この音発生器４Ｂは、ここでは分注デバイス３のトリガ機構によって実施される。このトリガ機構は、クラック音を発生させ、次により静かな連続音、注入過程の終了時には任意的なクラック音が続く。
【０１０８】
従って、その時系列トレースにおいて、音響信号６は複数の異なる音事象５を含み、この例では、一方で分注デバイスに関する準備から、他方では物質２の（直接的）分注の実行から生じる。
【０１０９】
しかし、音響信号６はまた、分注デバイス３に又は他の段階に由来しない他の音事象５Ａ、５Ｂを有する可能性がある。後者は、無視され、及び／又は廃棄され、及び／又は除外特徴として識別されるものとすることができる。
【０１１０】
音響信号６は、検出デバイス７によって捕捉されて処理される。検出デバイス７は、有利にシステム１内に及びシステム１及びシステム１の他の部分とは独立に実施することができる。従って、それは本発明の別の態様を表している。
【０１１１】
検出デバイス７は、音響信号６が分注デバイス２の少なくとも１つの音発生器４によって発生し、特質、分注デバイス３の状態変化に、または分注デバイス３及び／又は物質２に、固有である１又は２以上の音事象５Ａ、５Ｂに関して検出デバイス７によって調べられるような方法で、特質、分注デバイス３の状態変化、または分注デバイス３及び／又は物質２の特性を検出するように設計される。
【０１１２】
検出デバイス７は、好ましくは、検出された音事象５Ａ、５Ｂに基づいて音響信号６内の少なくとも１つの音事象５Ａ、５Ｂを検出する場合に、分注デバイス３の特質又は状態変化、分注デバイス３及び／又は物質２を決定する。
【０１１３】
検出デバイス７は、音事象５Ａ、５Ｂを伴って音響信号６が捕捉されるマイクロフォン８を有することが好ましい。
【０１１４】
更に、検出デバイスは、音響信号６を管理するためのプロセッサ９を有することが好ましい。特に、プロセッサ９は、デジタル信号プロセッサ（ＤＳＰ）とも呼ぶ信号プロセッサであるか又はそのようなプロセッサを有する。この場合に、それは、オーディオ信号の処理に特に適するか又はそのように設計されたコンピュータ構造を有するプロセッサ９又はその一部である。信号プロセッサは、特に連続的な音響信号６を連続してモニタする場合に音響信号６を特に効率的かつ実質的に処理するので、信号プロセッサの使用は、特に有利であると判明している。
【０１１５】
検出デバイス７は、音響信号６をデジタル化してデジタル的に処理する。検出デバイス７は、このためにアナログ−デジタル変換器（ＡＤＣ）を有することができ、音響信号６（マイクロフォン８によってアナログ電気信号６に変換される）をデジタル音響信号６に変換するようになっている。しかし、原理的にはアナログ処理も可能である。
【０１１６】
検出デバイス７は、少なくとも１つの音事象５Ａ、５Ｂに対する音響信号を好ましくは連続して検査することにより、分注デバイス３及び／又は物質２を検出する又は区別する。従って、音響信号６内で音事象５Ａ、５Ｂを識別するために、音響信号６は、長時間にわたって途切れることなく検査されることが好ましい。
【０１１７】
検出デバイス７は、音響信号６の検査結果を出力するためにかつ音響信号６の検出又は区別又は特性値を信号伝達するために必要に応じて出力デバイス１０を有することができる。出力デバイス１０は、ディスプレイ、ラウドスピーカ、及び／又は別のユーザインタフェースであるか又はそれらを有するものとすることができる。
【０１１８】
本発明の別の態様では、検出デバイス７は、例えば、データベース１３へのデータリンク１２を生成するためにインタフェース１１を有する。データベース１３は、システム１の一部を成すか又は外部データベース１３としてシステム１とは別に提供されるものとすることができる。
【０１１９】
検出デバイス７は、いずれの場合にも分注デバイス３及び／又は物質２に固有である少なくとも２つの好ましくは異なる音事象５Ａ、５Ｂを検出又は区別するように設計されることが特に好ましい。これは、これらの音事象５Ａ、５Ｂに関して音響信号６を検査することによって行われる。
【０１２０】
好ましくは、検出デバイス７は、検査で検出された異なる音事象５Ａ、５Ｂを予め決められたシーケンス又は順序に関して調べるために分析デバイス１５を有し、又はそのような分析デバイス１０を形成する。
【０１２１】
検出デバイス７は、分注過程に固有又は特徴的である様々な音事象５Ａ、５Ｂの決定された順序が検出デバイス７又は分析デバイスによって検出された時に出力デバイス１０を通して結果１４を出力し、又は分注過程から逸脱した異なる音事象５Ａ、５Ｂの順序、量、又は数が検出された時にエラーを出力するように設計されることが好ましい。
【０１２２】
特に好ましくは、検出デバイス７は、同じ、類似する、又は異なる分析デバイス３の異なる音事象５Ａ、５Ｂを区別するように設計される。
【０１２３】
検出のために、検出デバイス７は、音響信号６と１又は２以上の音事象パターン１７Ａ、１７Ｂとを比較するように設計することができる。
【０１２４】
音事象パターン１７Ａ、１７Ｂは、音事象５Ａ、５Ｂに関連付けられた情報を有するいわゆるオーディオサンプルとして存在することができる。この場合に、これらは、過去に生じた、予想された、模擬された、又は信号６との比較に適する別の方法で行われた１又は２以上の音事象５Ａ、５Ｂを（いずれの場合にも）有する音響信号６のセグメントである。音事象パターン１７Ａ、１７Ｂは、特に、音響信号６の調査対象である音事象５に類似し、又は音響信号６に対応する。これに代えて又はこれに加えて、これらは、処理された、圧縮された、又は集約された音事象５のような情報又はそこから導出された情報を表す１又は２以上の音事象５Ａ、５Ｂである。これらは、音事象５のスペクトル及び／又は統計情報を含む。
【０１２５】
音事象パターン１７Ａ、１７Ｂは、割り当て手段を有することができる。これらの割り当て手段を使用して、音事象パターン１７Ａ、１７Ｂ又はそれに対応する音事象５Ａ、５Ｂの分注デバイス３に対する分析デバイス３、特質、分注デバイス３及び／又は物質２の状態変化、対する割り当てを行うことができる。従って、音事象パターン１７Ａ、１７Ｂ又は割り当て手段は、好ましくはこの目的で設計されるか又は割り当てに関連付けられた情報を含む。割り当ては、検出デバイス７で実行することができる。音事象パターン１７Ａ、１７Ｂが割り当て手段を有するように、割り当て手段がそれぞれの音事象パターン１７Ａ、１７Ｂに関連し、リンクし、及び／又は（論理的に）関連付けられる場合は十分である。
【０１２６】
検出デバイス７は、音事象パターン１７Ａ、１７Ｂのうちの１又は２以上を有することが好ましい。これに代えて又はこれに加えて、音事象パターン１７Ａ、１７Ｂのうちの１又は２以上は、データベース１３に保存され、そこから検出デバイス７で入手可能である。
【０１２７】
音事象パターン１７Ａ、１７Ｂは、対応する音事象５Ａ、５Ｂを信号６内で検出するのに使用される。この目的のために、検出デバイス７は、音事象パターン１７Ａ、１７Ｂを信号６と比較する。１つの音事象パターン１７Ａ、１７Ｂを使用して信号６内で１つの音事象５Ａ、５Ｂが検出することができた場合に、これを結果１４として記録することができる。
【０１２８】
同じ音事象パターン１７Ａ、１７Ｂを使用して信号６内で複数の音事象５Ａ、５Ｂが検出された時に、それらを結果１４として記録することができる。
【０１２９】
複数の音事象パターン１７Ａ、１７Ｂを使用して信号６内で複数の音事象５Ａ、５Ｂが検出された時に、それらを１又は２以上の結果１４として記録することができる。
【０１３０】
結果１４は、出力デバイス１０を通して検出デバイス７によって出力され、更に処理され、及び／又は伝達されるものとすることができる。
【０１３１】
検出デバイス７は、音響信号６と１又は２以上の音事象パターン１７Ａ、１７Ｂとの相関を生成するための相関モジュール１６を有することが好ましい。相関は、連続的に及び／又は時間範囲での数学的畳込み又は周波数範囲での乗算によって行うことができ、後者は（フーリエ）変換された信号６に基づくことが好ましい。相関は、音事象パターン１７Ａ、１７Ｂを信号６と比較するための好ましい方法である。
【０１３２】
検出デバイス７は、時間的に互いに前後する音事象５Ａ、５Ｂのシーケンスが音響信号６に刻印されていることを検出した時に、結果１４を出力するように設計されることが好ましく、このシーケンスは、分注過程段階の進行に対応し、従って、対応する音事象５Ａ、５Ｂを有する。これに代えて又はこれに加えて、検出デバイス７は、時間的に互いに前後する音事象５Ａ、５Ｂのシーケンスが音響信号６に刻印されていないことを検出した時に、エラーを出力するように設計されることが好ましく、このシーケンスは、分注過程段階の進行に対応し、従って、対応する音事象５Ａ、５Ｂを有する。このようにして、機能及び／又は投薬を有利に保証することができ、又は信頼性に関連して改善することができる。
【０１３３】
検出デバイス７は、分注システム３を使用して又は物質２によって分注過程を検出することが好ましい。これは、分注システム３の検出により、又は物質２により、又はこの検出に基づいて実行することができる。
【０１３４】
検出デバイス７は、分注デバイス３を使用する分注サイクル又は分注過程の数を計数するカウンタを有することができる。
【０１３５】
これに代えて又はこれに加えて、検出デバイス７は、検出された分注過程を事前設定値と比較するように設計される。これに基づいて、必要に応じて、例えば、情報の信号伝達又は送信のような追加の手段を自動的に設定することができる。
【０１３６】
結果１４の更なる処理は、患者遵守（遵守／固守）を支援するか又は制御することができるように検出デバイス７によって又は外部から実行することができることが好ましい。この目的のために、１又は２以上の結果１４に基づいて、情報又は警告を出力することができる。これに代えて又はこれに加えて、１又は２以上の結果１４又はそこから導出されたインジケータは、例えば、医師又は医療システムなどに転送することができる。
【０１３７】
本発明の別の同じく独立に達成可能な態様は、携帯端末デバイス、好ましくはスマートフォン、タブレットコンピュータ、及び／又はウェアラブルデバイス、特にスマートウォッチ又はフィットネスアームバンドを検出デバイス７として、又は分注デバイス３で実行される投与可能な好ましくは薬剤の物質２の分注の検出のために、又はそのような分注の模擬を検出するのに使用することに関連する。
【０１３８】
この場合に、携帯端末デバイスは、音響信号６を捕捉するために及び物質２の分注の準備、実行、又は後処理中に分注デバイス３によって発生し、分注デバイス３、特質、分注デバイス３及び／又は物質２の状態変化、又は分注過程に固有である（特徴的な）音事象５Ａ、５Ｂに関して音響信号６を調べるのに使用される。
【０１３９】
同じく独立に達成可能な態様では、本発明はまた、プログラムコード手段を有するコンピュータプログラム製品に関連し、プログラムコード手段は、実施された時に、提案するソリューションによる方法を実行する。特に、コンピュータプログラム製品は、コンピュータ可読で好ましくは不揮発性のストレージ媒体であり、プロセッサ９上で実行された場合に、提案するソリューションによる方法又は提案するソリューションによる方法の段階の実行をもたらす。これは、検出デバイスのストレージデバイスとすることができ、又はそれとは別のストレージデバイスとすることができる。
【０１４０】
本発明を自己注射器の形態の分注デバイス３の好ましい例に基づいて説明した。しかし、追加の分析デバイス３、音発生器４Ａ、４Ｂ、及び／又は音事象５Ａ、５Ｂが可能なので、以下では、図４〜７に基づく追加の例を説明する。
【０１４１】
図４は、２次パッケージング１８を示している。これは、実施例ではカバリング箱として存在する。２次パッケージング１８は、引裂きフラップ１９を使用して又は１又は２以上の予め決められた切れ目線２０に沿って分離することができる。この場合に、２次パッケージングは音事象５Ｃを発生させる。従って、引裂きフラップ１９又は予め決められた切れ目線２０は、音発生器４Ｃを形成する。
【０１４２】
音発生器４Ｃは、分注デバイス３、その特質、又は分注デバイス３の状態変化、又は物質２に固有な又は特徴的な音事象５Ｃを発生させるように設計されることが好ましい。
【０１４３】
音事象５Ｃの具体性、すなわち、パッケージ化された分注デバイス３を他の分注デバイス３と区別するための音事象５Ｃの適合性は、通常の引裂きフラップ１９又は予め決められた切れ目線２０と比べて音発生器４Ｃが変更／修正されるような方法で改善することができる。
【０１４４】
従って、固有の又は特定の好ましくは不規則な溝又は歯を設けることができ、例えば、図示の例に示すように、個々の溝又は歯又はそれらの集団を可変距離で特に周期的に溝又は歯を設け、それにより、固有な音事象５Ｃが誘導される。
【０１４５】
図５は１次パッケージング２１を示し、その中に分注デバイス３が直接配置されている。図示の例では、１次パッケージング２１は、レセプタクル２２を有するブリスターであり、この中に分注デバイス３が挿入され、フィルム２３を使用してリバーシブルのエッジ−サイド接着剤２４で閉じ込められている。
【０１４６】
フィルム２３は、分注デバイス３を取り出すために引き剥がすことができる。この場合のフィルム２３は、音発生器４Ｄを形成する。この点で、フィルム２３は、レセプタクル２２から取り去る間に音事象５Ｄとして固有の音を発生させる。
【０１４７】
一般的に、音発生器４Ｄの構造、ここでは、すなわち、ブリスター、レセプタクル２２、フィルム２３、及び／又は接着剤２４の構造は、音事象５Ｄを発生させる過程、ここでは、引裂きを通して発生可能な又は発生する音事象５Ｄが適宜に全体を通して修正又は修正される方式で、音事象５Ｄの発生が可変であるように設計されることが好ましい。このようにして、音事象５Ｄは、特別に固有又は特徴的とすることができる。
【０１４８】
これに代えて又はこれに加えて、音事象５Ｄは、識別情報を含有するかつ搬送することができる。その結果、識別情報を使用して、取りわけ、確実に検出又は区別を行うことができる。対応する手段は、他の音発生器４Ａ−４Ｄの場合にも可能である。これはまた、可変性又は修正、特に変調によってデータが音事象５Ａ−５Ｄに組み込まれるように、可変音事象５Ａ−５Ｄを発生させる音発生器４Ａ−４Ｄによって達成することができる。
【０１４９】
説明する方法でかつその具体的実施形態に限定されることなく、音発生器４Ａ−４Ｄは、すなわち、識別情報又は好ましくは分注デバイス３及び／又は物質２に付属する他の情報を音事象５Ａ−５Ｄ内で音響的に変調するように設計することができる。これが一種のメロディ又は和音進行又は様々なノイズの進行に至り、それにより、識別情報又は他の情報が音発生器４Ａ−４Ｄの構造から音事象５Ａ−５Ｄに変換される。図４の例では又は一般的に、これは、引裂きフラップ１９又は予め決められた切れ目線２０又は他の面構造３Ｅ又は相補的構造３Ｆを通して変化する歯又はトポグラフィによって達成することができる。
【０１５０】
変調された音事象５Ｄに基づいて、検出デバイス７は、次に、分注デバイス３、特質、又は分注デバイス３及び／又は物質２の状態変化、の検出又は区別をすなわち特に確実な、固有な、及び／又は差別化された方式で実施することができる。
【０１５１】
このようにして好ましくは検出デバイス７により、音事象パターン１７Ａ、１７Ｂを音響信号６と比較することができ、この音響信号６は、変調された（識別）情報を有する音事象５Ｄに対応している。続いて（識別）情報を有する音事象５Ｄが検出された状態で、分注デバイス３、特質、分注デバイス３の状態変化、及び／又は物質２が検出されるか又は検出されることになるか又はそれが可能になる。
【０１５２】
これに代えて又はこれに加えて、複数の音事象パターン１７Ａ、１７Ｂを音事象５Ｄの様々な変調部分に対して設けることができ、音事象５Ｄの様々な変調部分を区別するのに使用することができる。その場合に、結果１４又は一連の結果１４を使用して（識別）情報を復調することができる。
【０１５３】
従って、（識別）情報は、音事象５Ｄから復元することができ、分注デバイス３、特質、分注デバイス３及び／又は物質２の状態変化、の特に確実な、個別の、及び／又は差別化された検出又は区別に使用することができる。
【０１５４】
好ましくは、検出デバイス７は、分注デバイス３、特質、分注デバイス３及び／又は物質２の状態変化、の改善された検出又は区別を準備するために、音事象５Ｄ上に変調されている情報を復調するように適宜設計される。この目的のために、検出デバイス７は、音響信号６に又はこの信号６内の１又は２以上の音事象５Ａ−５Ｄに変調された（識別）情報を復元するために、音響信号６を復調するための復調器を有することが好ましい。
【０１５５】
別の同じく独立に達成可能な態様では、分注デバイス３は、音事象５Ａ〜Ｄを変化させるデバイス３Ｇを有することができる。図５による図示の例では、デバイス３Ｇは、グリップ部分、又は分注デバイス３又はそのパッケージングに適用可能な他のデバイス３Ｇである。デバイス３Ｇは、分注デバイス３に後から適用することができる。特に、それは差し込み可能である。
【０１５６】
デバイス３Ｇは、音発生器４がデバイス３Ｇを用いて又は用いずに区別可能な音事象５Ａ〜Ｄを発生させるように、分注デバイス３の１又は２以上の音発生器４の特性を変えるか又はこの目的で設計される。特に、音事象５Ａ〜Ｄは、分注デバイス３又はパッケージングの自然共振周波数又は共振要素、分注デバイス３の減衰、又は一般的な振動特性が変わるように修正される。
【０１５７】
音事象５Ａ〜Ｄを変化させるためのデバイス３Ｇを使用して、音事象５Ａ〜Ｄを個別化することが可能である。このようにして、分注デバイス３は、後で互いに区別可能にすることができる。従って、例えば、異なるデバイス３Ｇを使用して、他の点では同一の分注デバイス３を異なる物質２に関して区別可能にすることができる。
【０１５８】
図６は、互いに時系列的に前後する３つのフェーズＩ、ＩＩ、及びＩＩＩでの信号６の一連の音事象５Ａ〜Ｄを示している。
【０１５９】
第１のフェーズＩでは、第１時間スパンｔ１での信号６は音事象５Ｃを有し、これは、２次パッケージング１８の音発生器４Ｃによって生成される。
【０１６０】
フェーズＩＩでは、１次パッケージング２１が取り外される中断時間ｔ２の後に、時間スパンｔ３において、信号６は第１の音事象５Ａを有し、これは、保護要素３Ｄによる分注デバイス３のアンロッキングに由来する。
【０１６１】
フェーズＩＩＩでは、分注デバイス３が分注ポイントに移動する別の中断時間ｔ４の後に、時間スパンｔ５において、信号６は第２の音事象５Ｂを有し、これは、アクチュエータ３Ｃの音発生器４Ｂに由来する。
【０１６２】
音事象５Ａ〜Ｄのうちの少なくとも１つに関して音響信号６を調べることにより、分注デバイス３、特質、又は分注デバイス３及び／又は物質２の状態変化、を検出する又は区別するために信号を検出デバイス７で検査することができる。
【０１６３】
従って、フェーズＩＩＩで検出される第２の音事象５Ｂに検査を限定することが可能である。この音事象５Ｂは、特に分注デバイス３がある一群に属するものとして検出するために、及び／又はこの分注デバイス３による物質２の分注を検出するために十分に固有又は特徴的であるものとすることができる。
【０１６４】
これに代えて、信号６を少なくとも２つの音事象５Ａ〜Ｄに関して検査することができる。第１の音事象５Ａ及び第２の音事象５Ｂに関して検査が行われ、フェーズＩＩ及びＩＩＩの両方の音事象５Ａ、５Ｂが検出された時に、第２の音事象５Ｂだけの検出による知見に加えて、すなわち、保護部分３Ｄを取り外すことにより、分注デバイス３が分注のために準備されたことを検出することが可能である。
【０１６５】
２次パッケージングの音発生器４Ｃに由来する音事象５Ｃに関して検査が行われる場合に、これに代えて又はこれに加えて、分注デバイス３が予想通りに２次パッケージング１８から取り出されたか否かを検出することができる。
【０１６６】
１次パッケージング２１の音発生器４Ｄに由来する音事象５Ｄに関して検査が行われる場合に、これに代えて又はこれに加えて、分注デバイス３が予想通りに１次パッケージング２１から取り出されたか否かを検出することができる。これは、上述の例には当て嵌まらない。
【０１６７】
信号６は、少なくとも２つ、特に好ましくは少なくとも正確に３つの音事象５Ａ、５Ｂ、５Ｃ／５Ｄ、すなわち、アンパッキング、アンロッキング、及びトリガに関して検査されることが好ましい。従って、信号６内の全音事象５Ａ、５Ｂ、５Ｃ／５Ｄが（検出デバイス７により）検出された時に、適切に準備されて初めはパッケージ化されていた分注デバイス３がトリガされ、直接的分注が行われたこと、必要に応じてどの物質２で分注が行われたかを推定することができる。
【０１６８】
好ましくは、一連の音事象５Ａ−５Ｄが（検出デバイス７により）検出される。更に、このようにして、計画された系列で分注過程が完了したか否かを（検出デバイス７により）検出することができる。
【０１６９】
これに代えて又はこれに加えて、上述のように、分注デバイス３、特質、又は分注デバイス３の状態変化、及び／又は物質２を識別することができる。
【０１７０】
別の例では、図７は、音発生器４Ｅが付属デバイス２５の形態である円筒形の分注デバイス３を示し、図示の例の音発生器４Ｅは、分注デバイス３に差し込むことができ、又は何らかの他の方法で、好ましくは可逆的態様で分注デバイス３に適用することができる。
【０１７１】
音発生器４は、ここでは、分注デバイス３の閉鎖部２７の溝と組み合わせたバネアーム２６によって形成される。分注デバイス３を開ける時に、バネアームは、音事象５Ｅとして固有又は特徴的なクラッター音を発生させる。溝は、音事象５Ｅの変調に関して設計することができる。
【０１７２】
しかし、描写する例を超えて、様々な追加の分注デバイス３、音発生器４Ａ−４Ｅ、及び／又は音事象５Ａ−５Ｅが可能である。
【０１７３】
本発明の一態様では、音発生器４Ａ−４Ｅは音事象５Ａ−５Ｄを発生させるか又はこの目的で設計され、音事象は製造業者に対応し、又は製造業者に固有である。従って、対応する音事象パターン１７Ａ、１７Ｂは、製造業者を識別するか又は製造業者を割り当てる割り当て手段を有することが好ましい。このようにして、分注デバイス３又は物質２の製造業者を識別することができる。同じく、いずれの場合でも、製造業者に関する分注デバイス又は物質２の属性を検出することができる。この情報は、一般的に、分注デバイス３の検出を検証するために又は検出を排除するのに使用することができる。
【０１７４】
本発明の一態様では、音発生器４Ａ−４Ｅは音事象５Ａ−５Ｄを発生させるか又はこの目的で設計され、音事象は有効成分濃度に対応し、又は有効成分濃度に固有である。従って、音事象４Ａ−４Ｅに対応する音事象パターン１７Ａ、１７Ｂは、有効成分濃度の識別又は割り当てを可能にする割り当て手段を有することが好ましい。このようにして、物質２の有効成分濃度を検出することができる。これに基づいて、特に計数結果と共に服薬遵守を決定することができる。
【０１７５】
本発明の別の態様では、分注デバイス３及び／又は物質２の検出又は区別が計数されるか又は検出デバイス７がこの目的で設計される。特に、物質２の直接的分注、決定された又はあるタイプの分注デバイス３による分注過程又は直接的分注が計数される。この結果を計数結果と呼ぶ。この場合に、これは、時間スパン又は分注過程間の（平均）時間スパン毎の検出又は区別、又は分注過程のような基準なしの又は時間基準を伴う計数又は量又はサイズとすることができる。
【０１７６】
本発明の別の態様では、検出デバイス７は、１又は２以上の結果１４又はそこから導出される服薬遵守に関する情報を生成するように、自動分注のために又は物質２の自動分注に適応するためにデータベース内に及び／又は適用デバイス上に保存するように、又は他の物質２に転送するように設計される。これは、計数又は計数結果に基づいて行うことができるが、必ずしもそうする必要はない。
【０１７７】
本発明の別の態様では、音発生器４Ａ−４Ｅは、ピエゾ素子又はラウドスピーカなどのような電気音響変換器であるか又はそのようなものを有する。分注過程の一段階において又はそれに起因して、電気音響変換器を励起及び／又は起動し、固有な必要に応じて複雑でもある音事象５Ａ−５Ｅを発生させることができる。特に、電気音響変換器を使用して、複雑なデータ又はデータパケットを音事象５Ａ−５Ｅ内で確実に変調することも可能である。
【０１７８】
本発明の別の態様では、音発生器４Ａ−４Ｅは、超音波を発生させるためのピエゾ素子又は他の素子であるか、又はそのようなものを有する。超音波範囲の音事象５Ａ−５Ｅにより、そのような音事象５Ａ−５Ｅの根本的な具体性に基づく検出が可能になる又は容易になる。音事象５Ａ−５Ｅとは異なり、超音波は可聴範囲で偶然に発生することが少なく、周囲ノイズの中でより小振幅で含まれているために検出が容易になる。
【０１７９】
本発明の別の態様では、分注デバイス３は、音発生器４Ａ−４Ｅとして、好ましくは修正可能な又は音の発生又は増幅のために特別に設計されたハウジング部分を有する。
【０１８０】
本発明の別の態様では、音発生器４は、ピン、バネアーム、弾性構造、又はバネ付勢構造のような１又は２以上の弾性要素を有する。弾性要素は、音事象５Ａ−５Ｅを発生させるために別の部分と相互作用するように設計されることが好ましい。特に、それらは、分注過程で面構造３Ｄ又は相補的構造３Ｅと相互作用し、音事象５Ａ−５Ｅを形成する。例えば、１又は２以上の弾性要素は、キャップ内又はキャップ上に、又は一般的に供給レセプタクル、特に薬物リザーバの閉鎖部内又は閉鎖部上に設けられる。
【０１８１】
本発明の別の態様では、ブリスターが、音発生器４Ａ−４Ｅとして提供される。音発生器は、例えば、ブリスターの中身を取り出す場合に、ブリスターフィルム又はブリスターに結合されたシステムにより、音事象５Ａ−５Ｅ、例えば、有効成分濃度などに対応するものを発生させることができる。
【０１８２】
本発明の別の態様では、音事象５Ａ−５Ｅを使用して、分注過程での事象の特定のフェーズ又は特定のシーケンスを識別することができる。
【０１８３】
本発明の他の態様では、検出デバイス７は、上述の固有の音事象５Ａ−５Ｅのうちの１又は２以上を検出するように特別に設計される。この目的のために、検出デバイス７は、対応する固有の音事象パターン１７Ａ、１７Ｂを使用することができる。好ましくは、音事象パターン１７Ａ、１７Ｂに基づいて、検出デバイス７は、音事象５Ａ−５Ｅがそれに対して固有である物事に付属する対応情報を自動的に割り当てる。これに代えて又はこれに加えて、検出デバイス７は、特定の周波数範囲を電流又は電圧、特に可聴周波数及び／又は超音波に変換するマイクロフォンを有することができる。
【０１８４】
本発明の他の態様では、音発生器４Ａ−４Ｅは、連続的な好ましくは一定周波数又は単一周波数の音波を発生させる。この場合に、音事象５Ａ−５Ｅは、この音波を特に周波数及び／又は振幅に対して修正することにあるとすることができる。
【０１８５】
以下では、特に図８〜１３を参照して、提案するソリューションによる分注デバイス３の第３の実施形態を説明する。別段の指示がないか又は関連から明らかな場合に、システム１及び分注デバイス３に関する以上の説明は、全てが分注デバイス３の第３の実施形態にも適用される。
【０１８６】
分注デバイスは、長手軸線又は主軸線Ａを有することが好ましい。「軸方向」又は「半径方向」などのような軸線に言及する用語は、好ましくは軸線Ａと関連がある。例えば、「軸線」方向又は移動は、軸線Ａと平行な方向又は移動であり、「半径」方向又は移動は、軸線Ａに対して半径方向の方向又は移動である。
【０１８７】
第３の実施形態による分注デバイス３は、本質的に図２に示す第１の実施形態による分注デバイス３と等しく構成されることが好ましい。第３の実施形態による分注デバイス３は、第１の実施形態による分注デバイス３とは保護要素３Ｄの構造だけが異なることが好ましい。
【０１８８】
分注デバイス３は、好ましくは主本体３Ｈと保護要素３Ｄとを有する。
【０１８９】
保護要素３Ｄは、特に主本体３Ｈの軸端を覆うための分注デバイス３の蓋及び／又はカバーを形成することが好ましい。特に好ましくは、保護要素３Ｄはキャップであるか又はキャップを形成する。
【０１９０】
保護要素３Ｄは、好ましくは主本体３Ｈから取り外し可能であり、及び／又は主本体３Ｈに取り付け可能である。好ましくは、保護要素３Ｄは、主本体３Ｈに、特にその軸端に好ましくはラッチ及び／又はスナップ機構により、可逆的に保持することができるか又は保持される。
【０１９１】
保護要素３Ｄは、図には示さない追加のキャップ又はカバーで覆うことができる。
【０１９２】
保護要素３Ｄ及び／又は分注デバイス７は、好ましくは単回使用に関して設計され、及び／又は使い捨て製品である。
【０１９３】
保護要素３Ｄは、好ましくは音発生器４Ａを有する又は形成する。第３の実施形態による分注デバイス３の音発生器４Ａは、第１の実施形態による分注デバイス３の音発生器４Ａと類似することが好ましく、相違点は以下に説明する。
【０１９４】
好ましくは、音発生器４Ａの全ての部分は、保護要素３Ｄから構成され、及び／又は保護要素３Ｄに一体化される。保護要素３Ｄは、音発生器４Ａを完全に含むことが好ましい。主本体３Ｈは、好ましくは音発生器４Ａ又はその各部分を含まない。
【０１９５】
音発生器４Ａは、物質２の分注の実際の又は模擬的な準備の時に音響信号６内に少なくとも１つの再現可能な音事象５Ａを発生させるように設計され、音事象５Ａは、分注デバイス３の特性及び／又は状態変化に固有である。
【０１９６】
保護要素３Ｄは、分注デバイス３の初期状態では物質２の分注を妨げるように構成されることが好ましい。好ましくは、物質２の分注を有効にするために、分注デバイス３を有効化状態に移すことができ、その場合に、音事象５Ａは、分注デバイス３を有効化状態に移す時に発生する。
【０１９７】
図８は、分注デバイス３の異なる状態を示している。図８Ａは初期状態を表し、図８Ｃは有効化状態を表し、図８Ｂは、分注デバイス３を初期状態から有効化状態に移す時に取る中間状態を表している。
【０１９８】
初期状態は、特に保護要素３Ｄ、特にキャップが分注デバイス３の主本体３Ｈに取り付けられて主本体３Ｈを覆う及び／又は物質２の分注を防止する状態である。有効化状態は、特に、保護要素３Ｄ又はキャップが主本体３Ｈから取り外されて物質２の分注が有効となった状態である。
【０１９９】
保護要素３Ｄ及び／又は分注デバイス３は、保護要素３Ｄ及び／又は分注デバイス３を初期状態から有効化状態に移す時に音事象５Ａを発生させるように構成されることが好ましい。特に、保護要素３Ｄ及び／又は分注デバイス３は、主本体３Ｈから保護要素３Ｄを取り外す時に音事象５Ａを発生させるように構成される。
【０２００】
発生する音事象５Ａは、好ましくは、保護要素３Ｄ又は分注デバイス３を有効化状態に移すのに、特に主本体３Ｈから保護要素３Ｄを取り外すのに使用される速度、力、及び／又は他の外部パラメータとは独立にいることが好ましい。言い換えれば、発生する音事象５Ａは、ユーザ（図示せず）が保護要素３Ｄ又はキャップを主本体３Ｈから取り外す方法に依存しないが、発生する音事象５Ａは、例えば、ユーザが保護要素３Ｄをゆっくりと取り外すのか、迅速に取り外すのかに関係なく、常に同じである。これは、特に、保護要素３Ｄの構造、及び／又は音発生器４Ａを有する又は形成する保護要素３Ｄの内部機構によって達成され、音事象５Ａの再現性のある発生に寄与する。
【０２０１】
図８から明らかなように、保護要素３Ｄは異なる位置に位置決めすることができることが好ましい。特に、保護要素３Ｄは起動位置を有する。
【０２０２】
保護要素３Ｄは、起動位置に到達した後に自動的に、即座に、及び／又は必然的に音事象５Ａを発生させるように構成されることが好ましく、特に、発生する音事象５Ａは、例えば、保護要素３Ｄを主本体３Ｈからゆっくりと取り外すのか、迅速に取り外すのかのような保護要素３Ｄを操作する方式に依存しない。
【０２０３】
好ましくは、音事象５Ａは、保護要素３Ｄが（音事象５Ａの発生前に）起動位置に位置決めされる場合にのみ発生することができる。言い換えれば、保護要素３Ｄを起動位置に位置決めすることは、それなしでは音事象５Ａを発生させることができない要件であることが好ましい。
【０２０４】
起動位置は、音事象５Ａの発生を有効にするために到達しなければならない位置であることが好ましい。好ましくは、起動位置は、保護要素３Ｄの構造によって規定又は決定される保護要素３Ｄの予め決められた位置である。
【０２０５】
保護要素３Ｄ及び／又は分注デバイス３の「操作」は、それによって保護要素３Ｄ及び／又は分注デバイス３の位置及び／又は状態が変わる特にユーザによるあらゆる行為であることが好ましい。特に、保護要素３Ｄの操作は、保護要素３Ｄを主本体３Ｈから取り外す過程、及び／又は保護要素３Ｄの異なる部分を互いに移動する過程を含む又は意味する。
【０２０６】
保護要素３Ｄは、好ましくは駆動要素２７を有する。駆動要素２７は、好ましくはバネ、特に引張バネである。好ましくは、駆動要素２７は、特に完全に保護要素３Ｄ内に又はその内側に配置される。
【０２０７】
駆動要素２７は、起動位置に到達するように保護要素３Ｄを操作することにより、特に保護要素３Ｄを起動位置に位置決めするか又は起動位置に向けて移動することにより、起動される、特に引張されるように構成されることが好ましい。
【０２０８】
更に、駆動要素２７は、保護要素３Ｄが起動位置に到達した後で自動的に、即座に、及び／又は必然的に音事象５Ａの発生をもたらすように構成されることが好ましい。
【０２０９】
保護要素３Ｄは、好ましくは第１の部分２８と第２の部分２９を有する。第１の部分２８は、好ましくはキャップとして構成され、第２の部分２９は、詳細にはキャップ内に特にキャップと同軸に配置されるか又は配置可能なスリーブとして構成されることが好ましい。特に、第１及び第２の部分２８、２９は、少なくとも本質的に円筒形である。
【０２１０】
第１及び第２の部分２８、２９は、初期位置と起動位置の間で互いに対して移動可能である。「初期位置」及び「起動位置」という用語は、保護要素３Ｄの異なる位置及び従って特に第１及び第２の部分２８、２９の互いに対して異なる位置を意味する。
【０２１１】
保護要素３Ｄの初期位置を図１１Ａ及び１２Ａに描き、起動位置を図１１Ｂ及び１２Ｂに描いている。
【０２１２】
初期位置では、第２の部分２９は、第１の部分２８に完全に挿入されることが好ましい。初期位置は、保護要素３Ｄが保持されるか又は予め緊張状態にある、予め引張前の、及び／又は外力が保護要素３Ｄに作用しない及び／又は部分２８、２９を離れるように駆動しない又は部品２８、２９の互いに対する移動を防止する場合に保護要素３Ｄが戻る休止位置であることが好ましい。
【０２１３】
起動位置は、特に、第１及び第２の部分２８、２９が初期位置に関して互いに対して移動した特に離れるように移動した位置である。図示の例では、起動位置は、第２の部分２９が（部分的に）第１の部分２８から外に移動した及び／又は第１の部分２８から外へ突出する位置である。
【０２１４】
初期位置及び起動位置は、第１及び第２の部分２８、２９の互いに対して異なる軸線方向位置及び／又は回転位置であることが好ましい。
【０２１５】
起動位置は、以下でより詳細に説明するように、第１の部分２８及び第２の部分２９の構造又は構成によって規定又は決定されることが好ましい。
【０２１６】
分注デバイス３の「初期状態」と保護要素３Ｄの「初期位置」は同じではなく、互いに区別されることに注意されたい。図８Ａでは、保護要素３Ｄは初期位置で示され、分注デバイス３は初期状態で示されている。しかし、図８Ｂでは、保護要素３Ｄの第１及び第２の部分２８、２９が互いに対して移動しているので、保護要素３Ｄは初期位置にはない。図８Ｃでは、保護要素３Ｄは（後述するように）再び初期位置にあるが、保護要素３Ｄは主本体３Ｈから完全に取り外されており、従って、分注デバイス３は有効化状態にある。
【０２１７】
駆動要素２７は、初期位置では保護要素３Ｄ又は第１及び第２の部分２８、２９を保持する及び／又は予め緊張状態にあるように構成される。駆動要素２７は、第１及び第２の音部分２８、２９が離れるように移動することによって引張されるように構成されることが好ましい。好ましくは、駆動要素２７は、第１の部分２８と第２の部分２９の間に配置される及び／又はその間で引張される。より好ましくは、駆動要素２７は、第１の部分２８及び／又は第２の部分２９に係合する及び／又は取り付けられる。
【０２１８】
第１の部分２８及び第２の部分２９は、互いに対して直線的に移動可能であることが好ましい。これに代えて又はこれに加えて、第１及び第２の部分２８、２９は、少なくとも一定程度及び／又は一定の範囲で互いに対して回転可能である。図示の例では、以下でより詳細に説明するように、第１及び第２の部分２８、２９は、両方とも直線的に移動可能であり、かつ限定された範囲で互いに対して回転可能である。
【０２１９】
第２の部分２９は、いくつかの要素、特に、スリーブ要素２９Ａ及び装着要素２９Ｂを有し、又はそれらによって形成されることが好ましい。原理的には、第２の部分２９は、単一部品だけによって形成することができる。しかし、スリーブ要素２９Ａ及び装着要素２９Ｂを有する２部品構造は、保護要素３Ｄ又は第２の部分２９を製造して組み立てる時に有利であると判明している。
【０２２０】
スリーブ要素２９Ａは、好ましくはスリーブとして構成され、及び／又は本質的に円筒形である。装着要素２９Ｂは、好ましくはスリーブ要素２９Ａに挿入される及び／又はスリーブ要素２９Ａと同軸に配置される。特に、スリーブ要素２９Ａは、装着要素２９Ｂを受け入れるか又は保持するように構成された凹部を有する。
【０２２１】
スリーブ要素２９Ａと装着要素２９Ｂは、好ましくはユニットを形成し、特に、スリーブ要素２９Ａと装着要素２９Ｂは、分注デバイス３及び／又は保護要素３Ｄの使用中に互いに対して移動可能ではない及び／又は移動しない。言い換えれば、スリーブ要素２９Ａと装着要素２９Ｂは、互いに対して固定された位置にあることが好ましい。これは、例えば、スリーブ要素２９Ａと装着要素２９Ｂを互いに固定的に取り付けることにより、例えば、ラッチ機構により、及び／又はスリーブ要素２９Ａと装着要素２９Ｂの間に例えば接着又は溶接などで持続的な接続部を設けることにより達成することができる。
【０２２２】
保護要素３Ｄは、第２の部分２９が第１の部分２８から引き離されるか又は取り外されるのを防止するために、及び／又は第１及び第２の部分２８、２９が起動位置を超えて相対的に移動することを防止するためにラッチ機構又はストップを有することが好ましい。
【０２２３】
ラッチ機構又はストップは、特に第１の部分２８の上に配置される爪又は係合フック３０と、係合フック３０に対応した及び／又はそれと係合するように構成された係合要素３１とを有し、又はそれらによって形成されることが好ましく、その場合に、係合要素３１は、第２の部分２９、特に装着要素２９Ｂ上に配置されることが好ましい。
【０２２４】
爪又は係合フック３０は、特に第１の部分２８の円筒壁及び／又は周囲壁に配置された及び／又はそこから切り抜かれた可撓性アームによって形成されることが好ましい。係合要素３１は、第２の部分２９又は装着要素２９Ｂの半径方向に突出した要素によって形成されることが好ましく、特に、第２の部分２９又は装着要素２９Ｂの軸端に配置される。
【０２２５】
特に好ましくは、ラッチ機構又はストップは、第１の部分２８又は第２の部分２９の半径方向に対向する各側にそれぞれ配置された２つの係合フック３０及び２つの係合要素３１を有し、又はそれらによって形成される。
【０２２６】
ラッチ機構又はストップは、第２の部分２９を可逆的に保持するように又は第２の部分２９を第１の部分２８に対して不可逆的に又は不可分に結合させるように構成することができるので、第２の部分２９は、第１の部分２８から（保護要素３Ｄ、すなわち、第１及び／又は第２の部分２８、２９を壊すことなく）取り外す又は引き離すことができない。
【０２２７】
音発生器４Ａは、純粋に機械的に音事象５Ａを発生させるように構成されることが好ましい。特に、音発生器４Ａ及び／又は保護要素３Ｄは、音事象５Ａを（再現可能に）発生させるように構成された第１及び第２の音発生要素３２Ａ、３２Ｂを有する。
【０２２８】
特に、音発生器４Ａはラチェットであり、及び／又は音事象５Ａは、音発生要素３２Ａ、３２Ｂを互いに対して移動することで音発生要素３２Ａ、３２Ｂによって発生する。好ましくは、第１の音発生要素３２Ａは、リブ面構造又は波形面構造を有する。対応する第２の音発生要素３２Ｂは、突起を有するか又はそれによって形成されることが好ましい。リブ構造又は波形構造の上で突起を移動することにより、ラチェット音が発生する。
【０２２９】
好ましくは、第１の部分２８は、第１の音発生要素３２Ａを有する又は形成し、第２の部分２９は、第２の音発生要素３２Ｂを有する又は形成する。第１の音発生要素３２Ａは、好ましくは第１の部分２８の内壁に配置され、第２の音発生要素３２Ｂは、好ましくは第２の部分２９の外壁に、特にスリーブ要素２９Ａに配置される。
【０２３０】
第１の音発生要素３２Ａは、好ましくは、第１の部分２８に取り付け可能であり、第１の部分２８から取り外し可能であり、及び／又は交換可能である。好ましくは、第１の音発生要素３２Ａは、例えば、ラッチ機構などにより、第１の部分２８に可逆的に保持されるか又は保持可能である。このようにして、異なる保護要素３Ｄ及び／又は分注デバイス３は、異なる音発生要素３２Ａ又は異なる音発生器４Ａを設けることができるので、音発生器４Ａを分注デバイス３の物質２に適合させることができ、音事象５Ａは物質２に固有になる。
【０２３１】
好ましくは、音発生器４Ａは、対応する音発生要素３２Ａ、３２Ｂの２つの同一の対を有し、又はそれらによって形成される。
【０２３２】
保護要素３Ｄ及び／又は音発生器４Ａは、好ましくは初期位置から起動位置までの保護要素３Ｄの移動後及び／又は起動位置から初期位置までの保護要素３Ｄの復帰時にのみ及び／又は専らその時に音事象５Ａを発生させるように構成されることが好ましい。
【０２３３】
「起動位置から初期位置までの復帰」又は「起動位置から初期位置までの移動」のような表現は、保護要素３Ｄが復帰又は移動の終了時にそれぞれ実際に初期位置に戻っていることを必ずしも意味しないことに注意されたい。言い換えれば、初期位置に再び到達する必要はないが、復帰又は移動は、保護要素３Ｄが最後に初期位置とはならなくても、本質的に初期位置に向う又はその方向にあり、特に、少なくとも初期位置から起動位置までの移動とは本質的に反対方向であれば十分である。従って、初期位置に到達しないか又は初期位置で終わらない起動位置から始まる移動も、「起動位置から初期位置までの復帰」又は「起動位置から初期位置までの移動」のような表現に含めることが好ましい。
【０２３４】
図示の例では、起動位置からの復帰の終わりに初期位置に到達する段階は、以下でより詳細に説明するように初期位置まで戻る回転を必要とする又はそれを含む。特に、好ましくは音事象５Ａの発生後に行われるこの回転は、省くことができる。
【０２３５】
保護要素３Ｄは、図１１Ａ及び１２Ａでは初期位置で、及び図１１Ｂ及び１２Ｂでは起動位置で描かれている。
【０２３６】
保護要素３Ｄ又は部分２８、２９は、特に軸線方向に第１の部分２８と第２の部分２９を離すことにより、初期位置から起動位置まで移動可能であるか又は移動することが好ましい。第１の部分２８と第２の部分２９を離す段階は、特に図８Ａ及び８Ｂに描かれているように保護要素３Ｄを主本体３Ｈから取り外す過程で自動的に行われることが好ましい。
【０２３７】
「保護要素３Ｄを取り外す」過程は、特に、それによって又はその終わりに保護要素３Ｄが主本体３Ｈから取り外される過程である。保護要素３Ｄを取り外す過程は、いくつかの保護要素３Ｄの位置及び／又は分注デバイス３の状態を含む。主本体３Ｈからの保護要素３Ｄの実際の取り外しは、以下で明らかなように、この過程の終わりに及び／又は最終段階としてのみ行われることが好ましい。
【０２３８】
分注デバイス３は、保護要素３Ｄ及び／又は第１の部分２８を主本体３Ｈから取り外す過程の時に、保護要素３Ｄを起動位置まで移動するように構成されることが好ましい。
【０２３９】
特に、分注デバイス３又は主本体３Ｈ、詳細には主本体３Ｈ内に及び／又は注射針３Ｂを（半径方向に）囲んで配置された好ましくは少なくとも本質的に円筒形の針保護部３４は、保護要素３Ｄ及び／又は第１の部分２８を主本体３Ｈから取り外す過程の時に第２の部分２９を主本体３Ｈに対する固定位置に保持するように構成されるのに対して、保護要素３Ｄは、第１の部分２８を第２の部分２９及び／又は主本体３Ｈに対して移動する、特に第１の部分を主本体３Ｈから離れるように移動することにより、初期位置から起動位置まで移動する。
【０２４０】
従って、保護要素３Ｄを主本体３Ｈから取り外す過程は、第２の部分２９がまだ主本体３Ｈに対して移動していない間に、第１の部分２８が主本体３Ｈから離れる段階を伴うことが好ましい。これは特に、図８Ｂに示されている。
【０２４１】
分注デバイス３は、保護要素３Ｄ、特に第２の部分２９、特に好ましくは装着要素２９Ｂと係合するための戻り止め３３を有することが好ましい。戻り止め３３は、保護要素３Ｄを主本体３Ｈから取り外す過程の時に、第２の部分２９を主本体３Ｈに対する固定位置に少なくとも一時的に保持するように構成されることが好ましい。
【０２４２】
戻り止め３３は、詳細には主本体３Ｈ、特に針保護部３４の内壁に配置された可撓性アーム上に配置されることが好ましい。
【０２４３】
第２の部分２９、特に装着要素２９Ｂは、戻り止め３３と係合するための切込み３５を有することが好ましい。切込み３５は、特に第２の部分２９又は装着要素２９Ｂの周りを周方向に延びるノッチとして構成されることが好ましい。
【０２４４】
戻り止め３３及び／又は可撓性アームは、保護要素３Ｄ及び／又は第１の部分２８が起動位置に到達して保護要素３Ｄ及び／又は第１の部分２８が（その後に）主本体３Ｈから更に離れた時に、第２の部分２９を戻り止め３３から解除するように構成されることが好ましい。第２の部分２９がストップ又は係合フック３０によって保持される力は、第２の部分２９が戻り止め３３で保持される力よりも好ましくは大きいので、保護要素３Ｄが既に起動位置にあり、次に主本体３Ｈから更に離れた時に、戻り止め３３と第２の部分２９の間の係合が解除される。
【０２４５】
好ましくは、駆動要素２７は、保護要素３Ｄ又は部分２８、２９が初期位置から起動位置まで移動する時に起動される、特に引張されるように構成される。
【０２４６】
保護要素３Ｄは、それが初期位置から起動位置まで移動した時に又はその後に初期位置に戻るように構成されることが好ましい。しかし、初期位置までの復帰は、上述のように、必ずしも必要ではない。好ましくは、音事象５Ａは、起動位置に到達した後に、及び／又は保護要素３Ｄ又は部分２８、２９の特に初期位置までの移動又は復帰の間に発生する。
【０２４７】
起動位置から初期位置までの移動は、自動的に及び／又は起動位置に到達した直後に行われることが好ましい。特に、駆動要素２７は、保護要素３Ｄの起動位置から初期位置までの復帰を駆動するように構成される。上述のように、駆動要素２７は、好ましくは初期位置から起動位置までの移動によって起動される又は引張されるので、起動位置から初期位置までの復帰は、引張されたバネ又は駆動要素２７の弾性復元力によって生じるか又は駆動される。言い換えれば、起動位置から初期位置までの移動は、純粋に機械的に行われることが好ましい。
【０２４８】
保護要素３Ｄは、初期位置から起動位置までの保護要素３Ｄの移動時に音又は音事象５Ａが発生しないように、及び／又は初期位置から起動位置までの移動後に、特に起動位置から初期位置までの保護要素３Ｄの移動時に（にのみ）音事象５Ａが発生するように構成されることが好ましい。言い換えれば、保護要素３Ｄ及び／又は音発生器４Ａは、初期位置から起動位置までの移動時に音生成要素３２Ａ、３２Ｂが互いに相互作用しない又は接触しないように、及び／又は初期位置から起動位置までの移動後に、特に起動位置から初期位置までの移動時に（にのみ）音生成要素３２Ａ、３２Ｂが互いに相互作用するか又は接触して音事象５Ａが発生するように構成されることが好ましい。
【０２４９】
初期位置から起動位置までの移動時に音発生要素３２Ａ、３２Ｂが相互作用しないことは、特に主本体３Ｈからの保護要素３Ｄの滑らかな取り外しに関連し、分注デバイスの簡単な作動に寄与する。すなわち、主本体３Ｈから保護要素３Ｄを取り外す際は、駆動要素２７のバネ張力に抗するためにかなりの力が既に必要であり、この力は、初期位置から起動位置に向けて移動する時に音発生要素３２Ａ、３２Ｂの相互作用によって更に増大すると考えられる。すなわち、音発生要素３２Ａ、３２Ｂが相互作用しないことは、簡単な作動に関して、特に保護要素３Ｄの取り外しに必要な力を許容レベルに保つために有利である。
【０２５０】
保護要素３Ｄは、初期位置から起動位置までの保護要素３Ｄの移動時に音発生要素３２Ａ、３２Ｂが相互作用しないように、かつ起動位置から初期位置までの保護要素３Ｄの移動時に音発生要素３２Ａ、３２Ｂが相互作用して音事象５Ａを発生させるように構成されたガイドを有することが好ましい。
【０２５１】
ガイドは、起動位置に到達した時に及び／又はその直後に第２の部分２９を回転させるように構成されることが好ましい。すなわち、初期位置から起動位置までの移動時に、第２の部分２９は、第１の部分２８に対して起動位置から初期位置まで戻る移動時とは異なる回転位置に配置されることが好ましい。この回転により、初期位置から起動位置までの移動時に音生成要素３２Ａ、３２Ｂが互いに相互作用しない又は接触しないこと、及び／又は起動位置から初期位置までの移動時に（にのみ）音生成要素３２Ａ、３２Ｂが互いに相互作用する又は接触して音事象５Ａを発生させることが特に達成される。
【０２５２】
ガイドは、起動位置に到達した後にのみ確実に音事象５Ａが発生されるように構成されることが好ましい。
【０２５３】
ガイドは、複数のガイド要素、特に第１のガイド要素３６Ａ、第２のガイド要素３６Ｂ、第３のガイド要素３６Ｃ、及び／又は第４のガイド要素３６Ｄを有し、又はそれらによって形成されることが好ましい。
【０２５４】
第１、第２、第３、及び／又は第４のガイド要素３６Ａ〜３６Ｄは、好ましくは（それぞれ）突出部又は突起として構成される。
【０２５５】
好ましくは、保護要素３Ｄは、保護要素３Ｄの半径方向に対向する各側に配置された２つの同一ガイドを有する。
【０２５６】
第１の部分２８は、好ましくは第１のガイド要素３６Ａを有する。第１のガイド要素３６Ａは、特に図１０に示すように、第１の部分２８の特に円筒形内壁の上に配置される及び／又はそこから突出することが好ましい。好ましくは、第１のガイド要素３６Ａは軸線方向に延びる及び／又は細長い。
【０２５７】
第１のガイド要素３６Ａは、少なくとも本質的に四辺形の形態であることが好ましく、第１のガイド要素３６Ａの２つの側面は軸線Ａと平行に延び、他の２つの側面は軸線Ａに対して傾斜している。特に好ましくは、第１のガイド要素３６Ａは、少なくとも本質的に平行四辺形である。
【０２５８】
第２の部分２９は、第２、第３、第４、及び／又は第５のガイド要素３６Ｂ〜３６Ｉを有することが好ましい。第２、第３、及び／又は第４のガイド要素３６Ｂ〜３６Ｄは、特に図１０に示すように、第２の部分２９の特に円筒形外壁上に配置される及び／又はそこから突出することが好ましい。
【０２５９】
第２のガイド要素３６Ｂは、第１のガイド要素３６Ａと接触するように、及び／又は第１のガイド要素３６Ａに沿って摺動するように構成されることが好ましい。
【０２６０】
第２のガイド要素３６Ｂは、少なくとも本質的に四辺形の形態であることが好ましい。第２のガイド要素３６Ｂは、軸線Ａと平行に延びる２つの側面と、軸線Ｌに対して傾斜している２つの側面とを有することが好ましい。特に好ましくは、第１のガイド要素３６は平行四辺形又は菱形の形態である。
【０２６１】
第２のガイド要素３６Ｂは、保護要素３Ｄを初期位置から起動位置まで移動し、かつ初期位置まで戻す時に、第１のガイド要素３６Ａの周りを動くように構成されることが好ましい。
【０２６２】
第２のガイド要素３６Ｂは、第２の部分２９の可撓性アーム３７の自由端に配置されることが好ましい。アーム３７は、保護要素３Ｄが初期位置から起動位置まで移動する時に少なくとも本質的に周方向に撓むように、及び／又は保護要素３Ｄが起動位置から初期位置まで移動する前に及び／又はその時に弾けて戻るように構成されることが好ましい。
【０２６３】
アーム３７は、第２の部分２９、特にスリーブ要素２９Ａと一体的に形成されることが好ましい。特に、アーム３７は、スリーブ要素２９Ａの円筒壁の軸線方向切欠きによって形成される。
【０２６４】
第４のガイド要素３６Ｄは、軸線方向に延びるレールとして構成されることが好ましい。第４のガイド要素３６Ｄは、特に係合フック３０と接触することにより、第１の部分２８に対する第２の部分２９の回転を制限するように構成されることが好ましい。
【０２６５】
ガイドの機能は、特に図１１〜１３を参照して以下で説明する。
【０２６６】
図１１Ａ及び１２Ａでは、保護要素３Ｄが初期位置で示されている。図１１Ｂ及び１２Ｂでは、保護要素３Ｄが起動位置で示されている。図１３は、初期位置にある保護要素３Ｄの底面図を示している。
【０２６７】
初期位置では、音発生要素３２Ａ、３２Ｂは、特に図１３で明らかなように周方向に互いにオフセットしている。更に、係合フック３０は、好ましくは、図１３での第２の部分２９の時計回り方向の回転が防止されるように第４のガイド要素３６Ｄと接触する。
【０２６８】
図１２Ａ及び１３Ａから見ることができるように、第１及び第２のガイド要素３６Ａ、３６Ｂは軸線方向に重なるので、保護要素３Ｄが初期位置から起動位置に向けて移動する時に第１及び第２のガイド要素３６Ａ、３６Ｂの傾斜した側面が接触する。
【０２６９】
図１３での時計回り方向の第２の部分２９の回転が係合フック３０によって防止され、ガイド要素３６Ａ、３６Ｂが軸線方向に重なるので、第２のガイド要素３６Ｂを有する可撓性アーム３７は、ガイド要素３６Ａ、３６Ｂが接触したときに保護要素３Ｄが起動位置に向けて更に移動すると、特に周方向に曲がる又は撓むように強制される。
【０２７０】
アーム３７の撓みは、好ましくは、アーム３７内で復元力を構築し、及び／又は第２のガイド要素３６Ｂ、特にその軸線方向側面を第１のガイド要素３６Ａ、特にその軸線方向側面に対して押圧する。
【０２７１】
第１及び第２の部分２８、２９を更に離間させる時に、起動位置に達する。起動位置は、より具体的には、特に図１２Ｂに示すように、第２のガイド要素３６Ｂが第１のガイド要素３６Ａの軸端に到達した位置である。特に、起動位置は、保護要素３Ｄの反転点であり、及び／又は第２の部分２９が初期位置から起動位置までの道筋と、異なる回転位置で及び／又は異なる経路に沿って及び／又は第１のガイド要素３６Ａの異なる軸線方向側面上で回転する及び／又は初期位置まで移動する又は摺動して戻される位置である。
【０２７２】
起動位置では、係合フック３０は、好ましくは係合要素３１と係合する。
【０２７３】
起動位置に到達した時に又はその直後に、湾曲した又は撓んだアーム３７の復元力により、アーム３７はその休止位置、すなわち、アーム３７が保護要素３Ｄの初期位置にある位置まで移動する又は弾けて戻るようにされることが好ましい。それにより、第２のガイド要素３６Ｂは、第１のガイド要素３６Ａに対して移動し、特に、第２のガイド要素３６Ｂが第１のガイド要素３６Ａの端部にあるコーナを通過し、及び／又はガイド要素３６Ａ、３６Ｂの傾斜した縁部が互いに接触するようになっている。
【０２７４】
バネ又は駆動要素２７は、図１１Ａ及び１１Ｂに示すように、保護要素３Ｄが初期位置から起動位置まで移動する時に引張されることが好ましい。
【０２７５】
すなわち、駆動要素２７は、起動位置に到達した又はそこを通過した時に又はその直後に第２の部分２９の初期位置に向けて戻る移動を引き起こす又は駆動することが好ましい。
【０２７６】
起動位置から初期位置に戻る時に、第２のガイド要素３６Ｂは、第１のガイド要素３６Ａに沿って、特に、初期位置から起動位置までの移動時に第２のガイド要素３６Ｂが摺動した軸線方向側面とは反対側の軸線方向側面上を摺動することが好ましい。
【０２７７】
起動位置から初期位置まで移動する時の第１のガイド要素３６Ａに沿う第２のガイド要素３６Ｂの移動は、第１の部分２８に対する第２の部分２９の回転、特に図１３での反時計回り方向の回転を伴うことが好ましい。これは、特に、第１のガイド要素３６Ａの傾斜した縁部と、それによって生じる第２のガイド要素３６Ｂの周方向移動によってもたらされる。この回転により、第１及び第２の部分２８、２９の互いに対する回転位置は、起動位置から初期位置までの移動時に音発生器４Ａの音発生要素３２Ａ、３２Ｂが相互作用して音事象５Ａを発生させるように変更される。
【０２７８】
第３のガイド要素３６Ｃは、起動位置から初期位置までの移動の終わりに向けて、第２の部分２９の初期位置に戻る回転が第１のガイド要素３６Ａと第３のガイド要素３６Ｃとの相互作用によってもたらされるように、軸線Ａ及び／又は第１のガイド要素３６Ａに対して傾斜していることが好ましい。
【０２７９】
要約すると、保護要素３Ｄを主本体３Ｈから取り外す段階及び／又は音事象５Ａを発生させる段階は、好ましくは以下のように進行する。
【０２８０】
最初に、特にキャップ形態の保護要素３Ｄが、主本体３Ｈに取り付けられる。この位置では、保護要素３Ｄは初期位置にあり、戻り止め３３は第２の部分２９と係合する。
【０２８１】
主本体３Ｈから保護要素３Ｄを取り外すために、ユーザ（図示せず）は、第１の部分２８を主本体３Ｈから特に軸線方向に引き離す。それにより、第１及び第２の部分２８、２９が互いに対して移動する一方、第２の部分２９は戻り止め３３によって保持され、従って、主本体３Ｈに対して移動しない。第１及び第２の部分２８、２９の相対移動により、駆動要素２７は、好ましくは引張される。
【０２８２】
この移動時に、第２のガイド要素３６Ｂは、好ましくは第１のガイド要素３６Ａに沿って摺動し、より具体的には、可撓性アーム３７は、図１１及び図１２での特に周方向に又は上向きに撓む。
【０２８３】
ユーザは、起動位置に到達するまで第１の部分２８を主本体３Ｈから離すように移動することが好ましい。
【０２８４】
起動位置に到達するか又は通過すると、第２のガイド要素３６Ｂが第１のガイド要素３６Ａの周りを及び／又はガイド部材３６Ａの反対側を図１２ではガイド要素３６Ａの下側を移動するようにアーム３７は弾けて戻ることが好ましい。
【０２８５】
更に、第２の部分２９は、起動位置に到達した時又はそのすぐ後に戻り止め３３から解除される。これは、特に駆動要素２７によって駆動される初期位置に向う保護要素３Ｄの迅速な移動をもたらす。
【０２８６】
更に、第２の部分２９は、起動位置に到達するか又はそこを通過すると、特にアーム３７が弾けて戻ることにより、図１３の反時計回り方向に既に回転している。この回転により、第２の部分２９は、第１の部分２８に対して音発生要素３２Ａ、３２Ｂの相互作用を可能にする回転位置にもたらされる。
【０２８７】
起動位置から初期位置までの迅速な移動により、互いに沿って摺動する音発生要素３２Ａ、３２Ｂによって音事象５Ａが発生する。
【０２８８】
初期位置まで戻る移動の終わりに向けて、第３のガイド要素３６Ｃは、好ましくは第１のガイド要素３６Ａと接触し、それにより、初期位置まで戻る第２の部分２９の回転（特に、図１３では時計回り）をもたらす。しかし、これは必須ではない。
【０２８９】
保護要素３Ｄ、特にガイドはまた、初期位置から起動位置までの移動時に音発生要素３２Ａ、３２Ｂ間の接触及び／又は相互作用を防止するための固定デバイス、例えば、それぞれのガイド要素、ストップ、又はラッチ要素などを有することができる。特に、この固定デバイスは、初期位置から起動位置までの移動時に第１の部分２８に対する第２の部分２９の回転（特に、図１３では反時計回り方向）を防止するように構成される。固定要素は、初期位置から起動位置までの移動時に第２のガイド要素３６Ｂが上述のように第１のガイド要素３６Ａの正しい側に沿って摺動することを保証するように設けられることが好ましい。このようにして、ユーザによる誤った作動を防止することができる。特に、保護要素３Ｄが主本体３Ｈから取り外される時に部分２８、２９が互いに対して回転することを防止することができ、この回転は、初期位置から起動位置までの移動の最初に保護要素３Ｄが僅かに捻れている場合に潜在的に起こる可能性がある。
【０２９０】
固定デバイスは、第１及び／又は第２の部分２８、２９に配置されることが好ましい。好ましくは、固定デバイスは、少なくとも初期位置で及び／又は初期位置から起動位置までの移動時にガイド要素３６Ａ〜３６Ｄのうちの１つ、特に第１のガイド要素３６Ａ又は第４のガイド要素３６Ｄと接触するように構成される。
【０２９１】
保護要素３Ｄは、起動位置から初期位置までの保護要素３Ｄの移動速度及び／又は加速度を制御する、減衰させる、及び／又は低減するための減衰デバイスを有することが好ましい。
【０２９２】
減衰デバイスは、例えば、保護要素３Ｄの各部分、特に音発生要素３２Ａ、３２Ｂの補強によって達成することができ、従って、音発生要素３２Ａ、３２Ｂが互いに押圧される圧力は増加する。
【０２９３】
他の可能なソリューションは、起動位置から初期位置までの移動を減衰させる空圧ブレーキを達成するために保護要素３Ｄから逃げる空気の減衰及び／又は調節を達成するシリンダ−ピストン配置である。
【０２９４】
これに代えて又はこれに加えて、音発生要素及び／又はバネ力の厳密な設計、例えば、駆動要素２７及び／又は可撓性アーム３７の厳密な設計を修正すること、及び／又は追加のバネ又は引張デバイスを設けることも考えられる。
【０２９５】
保護要素３Ｄ及び／又は音生成要素４Ａの更に別の実施形態を図１４に示している。
【０２９６】
図８〜１３による保護要素３Ｄの音発生器４Ａが好ましくは純粋に機械的に機能するのに対して、図１４に示す実施形態の音発生器４Ａは好ましくは電子的に機能する。
【０２９７】
図８〜１３に示す実施形態による保護要素３に関する説明は、別段の指示がないか又は関連から明らかでない限り、図１４に示す実施形態による保護要素にも適用されることが好ましい。
【０２９８】
特に、保護要素３Ｄは、特にキャップの形態で分注デバイス３の蓋及び／又はカバーを形成する。更に、保護要素３Ｄは、好ましくは音発生器４Ａを有する又は形成する。
【０２９９】
保護要素３Ｄは、特にキャップの形態でハウジング３８を有することが好ましく、音発生器４Ａはハウジング３８の内部に配置されるか又はそれに一体化されることが好ましい。ハウジング３８はいくつかの部分を有する又はそれによって形成されるとすることができる。
【０３００】
保護要素３Ｄ及び／又は音発生器４Ａは、スイッチ３９、電子モジュール又は電子機器４０、バッテリ４１、及び／又は電気音響変換器４２を有することが好ましい。
【０３０１】
音発生器４Ａ及び／又は電気音響変換器４２は、音事象５Ａを発生させるように構成されることが好ましい。バッテリ４１は、電子機器４０及び／又は変換器４２に（電気的）エネルギを供給するように構成されることが好ましい。
【０３０２】
スイッチ３９は、保護要素３Ｄを主本体３Ｈから、特に針保護部３４から取り外す時に作動されるように構成されることが好ましい。好ましくは、スイッチ３９は付勢型スイッチである。
【０３０３】
好ましくは、保護要素３Ｄは、主本体３Ｈ又は針保護部３４とスイッチ３９の間に配置された好ましくはバネ付勢型のピン４３を有する。保護要素３Ｄが分注デバイス３の主本体３Ｈに取り付けられた時に、ピン４３は、スイッチ３９及び／又は針保護部３４又は主本体３Ｈの別の部分と接触することが好ましい。しかし、ここでは他のソリューションも可能である。特に、ピン４３は省くことができる。
【０３０４】
特に、保護要素３Ｄが主本体３Ｈに取り付けられた時に、スイッチ３９又はその作動要素が主本体３Ｈ及び／又はピン４３によって押し下げられるように構成されること、及び／又は主本体３Ｈと保護要素３Ｄを離すことによってスイッチ３９が作動されることが可能である。
【０３０５】
スイッチ３９は、電子モジュール又は電子機器４０と機能的に結合されることが好ましい。電子機器４０は、スイッチ３９の作動時に音事象５Ａが発生するように電気音響変換器４２を制御するように構成されることが好ましい。
【０３０６】
電子機器４０は、電気音響変換器４２を制御するための制御器及び／又はプロセッサを有する又は形成することが好ましい。
【０３０７】
スイッチ３９、電子機器４０、バッテリ４１、及び／又は電気音響変換器４２は、プリント回路基板４４を通じて配置される及び／又は実施される及び／又は結合されることが好ましい。電気音響変換器４２は、保護要素３Ｄが主本体３Ｈに取り付けられた時に、主本体３Ｈとは反対側のプリント回路基板４４の側に配置されることが好ましい。
【０３０８】
電気音響変換器４２は、ピエゾ変換器又は圧電変換器を有する又はそれによって形成されることが好ましい。
【０３０９】
変換器４２は、２ｋＨｚを超える及び／又は４０ｋＨｚ未満の周波数、特に約４ｋＨｚ及び／又はその高調波、すなわち、その全倍数、例えば、８ｋＨｚ、１２ｋＨｚ、１６ｋＨｚ、及び／又は２０ｋＨｚのような周波数を有する音事象５Ａを発生させるように構成されることが好ましい。音事象５Ａは、超音波範囲の周波数及び／又は１６ｋＨｚを超える周波数だけを有することが特に好ましい。特に好ましくは、音事象は約２０ｋＨｚの周波数を有する。これは、一方では、これらの周波数がヒトには感知することができず、従って、ヒトの音響ハラスメントを構成しないので有利であると判明している。他方では、好ましいことに、超音波範囲の背景ノイズが少ないので、音響信号６内で超音波音事象５Ａを検出することがより容易である。
【０３１０】
電子機器４０はまた、変換器４２を使用して複数の及び／又は異なる音事象５Ａを発生させるように構成することができる。異なる音事象は、例えば、長さ、周波数、速度、音量、スペクトル範囲、トーンのシーケンス、及び／又は周波数などが異なるとすることができる。このようにして、保護要素３Ｄ及び／又は音発生器４Ａ及び／又は音事象５Ａは、異なる分注デバイス３、特に分注デバイス３で分注される物質２に適応させるか又は固有なものとすることができる。
【０３１１】
概要部分で、実施形態で、及び特許請求の範囲に説明する本発明の様々な態様は、考えられる有利な組合せの全てが別々に説明されない場合でも各場合に個々に及び組合せに実施することができ、かつ有利であるとすることができる。
【０３１２】
本発明の追加の態様は、以下の通りである。
【０３１３】
１．物質を分注するための分注デバイスであって、分注デバイスが、分注過程で音響信号内に少なくとも１つの音事象を発生させるように設計された少なくとも１つの音発生器を有し、音事象が分注デバイスの特質又はその状態変化に固有である上記分注デバイスと、分注デバイスの特質又はその状態変化の検出を可能にするために少なくとも１つの音事象に関して音響信号を検査するための検出デバイスとを有する、投与可能な好ましくは薬剤の物質の分注の実際の又は模擬的な準備、実行、及び／又は後処理（以下で分注過程と呼ぶ）をモニタするためのシステム。
【０３１４】
２．音発生器が、分注過程での１又は複数の音事象が必然的にかつ再現可能な方式で発生するように設計されることを特徴とする態様１に記載のシステム。
【０３１５】
３．音発生器が、分注過程に必要とされない及び／又は音事象の発生のために特別に設計された構造であることを特徴とする態様１〜２の１つに記載のシステム。
【０３１６】
４．音発生器が、ラチェット、フラッパー、振動ベル、ラトル、ホイッスル、又は再現性のある落下音、クラック音、クリック音、スクリーチ音、クラッター音、グラインド音、ラトル音、ヒッシング音、スクイーク音、ブーン音、ウィッスル音という音を発生させるための構造体であるか又はそれらを有し、又は特にスティック−スリップ効果に起因する振動であるか又はそれを有することを特徴とする態様１〜３の１つに記載のシステム。
【０３１７】
５．分注デバイスの保護要素が、音発生器を有する又は形成し、保護要素が、初期状態で物質が分注されないようにされ、かつ音事象の発生を伴って物質の分注を有効にする有効化状態に移ることができることを特徴とする態様１〜４の１つに記載のシステム。
【０３１８】
６．音発生器が、音響信号内に２よりも多い音事象のシーケンスを発生させるように設定され、それらの音事象が互いに分離されて分注過程の進行で時間的に互いに前後することを特徴とする態様１〜５の１つに記載のシステム。
【０３１９】
７．分注デバイスが、少なくとも２つの異なる音発生器を有し、それらの発生器が、時間的に互いに前後する分注過程の異なる段階で第１の音事象と第２の好ましくは第１のものとは異なる音事象とが発生するように設計されることを特徴とする態様１〜６の１つに記載のシステム。
【０３２０】
８．音響信号を検査することによって分注デバイスの特質又はその状態変化を検出するための検出デバイスが、少なくとも１つの音事象に対して設計されることを特徴とする態様１〜７の１つに記載のシステム。
【０３２１】
９．検出デバイスが、音響信号と１又は２以上の音事象パターンとを比較し、このようにして音響信号内で少なくとも１つの音事象を検出するように設計され、音事象パターンが、音事象と類似するか又はそれらから導出される音事象に対応する既知の情報であることを特徴とする態様８に記載のシステム。
【０３２２】
１０．検出デバイスが、音響信号と１又は２以上の音事象パターンとの相関を生成するための相関モジュールを有することを特徴とする態様９に記載のシステム。
【０３２３】
１１．検出デバイスが、少なくとも１つの音事象が音響信号内に検出された時に、検出された音事象に基づいて分注デバイスの特質又はその状態変化を決定するように設計されることを特徴とする態様８〜１０の１つに記載のシステム。
【０３２４】
１２．検出デバイスが、同じ、類似、又は異なる分注デバイスの異なる音事象を区別するように設計されることを特徴とする態様１〜１１の１つに記載のシステム。
【０３２５】
１３．検出デバイスが、音響信号の検査結果を出力するための出力デバイスを有し、好ましくは、検出デバイスが、出力デバイスを使用して検出を信号伝達するように又は分注デバイスの特質又はその状態変化、又はその変化の特性値を出力するように設計されることを特徴とする態様１〜１２の１つに記載のシステム。
【０３２６】
１４．検出デバイスが、検査で検出された複数の音事象を予め決められたシーケンス又は順序に関して調べるための分析デバイスを有する又は形成することを特徴とする態様１〜１３の１つに記載のシステム。
【０３２７】
１５．時間的に互いに前後して分注過程段階の進行に対応する音事象のシーケンスを音響信号が有することを検出デバイスが検出した時に結果を出力するように、または時間的に互いに前後して分注過程段階の進行に対応する音事象のシーケンスを音響信号が持たないことを検出した時にエラーを出力するように検出デバイスが設計されることを特徴とする態様１〜１４の１つに記載のシステム。
【０３２８】
１６．システムが、物質及び音発生器に対して区別され、その他は同一に又は同様に設計された複数の分注デバイスを有し、物質に対して同じ特質を有する同一の又は類似の分注デバイスによって同一の音事象又は音響信号を発生させることができ、従って、物質に対して異なる特質を有する同一の又は類似の分注デバイスによって異なる音事象及び／又は音響信号を発生させることができることを特徴とする態様１〜１５の１つに記載のシステム。
【０３２９】
１７．分注デバイスの一部分、好ましくは、パッケージング、１次パッケージング、２次パッケージング、キャップ、シェル、保護システム、機構、ストップ、圧力発生器、アンロッキングシステム、トリガシステム、流路、及び／又は物質を放出するための分注デバイスが、音発生器を有する又は形成することを特徴とする態様１〜１６の１つに記載のシステム。
【０３３０】
１８．態様１〜１７の１つに記載のシステムの分注デバイスの音発生器によって発生され、分注デバイスの特質又はその状態変化に固有であり、投与可能な好ましくは薬剤の物質の分注デバイスで実行される分注過程を検出するための音事象に関して音響信号を検査するための検出デバイス。
【０３３１】
１９．投与可能な好ましくは薬剤の物質の分注の以下で分注過程と呼ぶ実際の又は模擬的な準備、実行、及び／又は後処理をモニタする方法であって、音響信号が、分注デバイスの特質又はその状態変化に固有であって分注過程の場合に発生させることができる音事象に関して調べられる方法。
【０３３２】
２０．分注デバイスの特質又はその状態変化に固有である少なくとも１つの音事象であって、分注デバイスの特質又は状態変化の検出を可能にするために投与可能な好ましくは薬剤の物質の分注の以下で分注過程と呼ぶ実際の又は模擬的な準備、実行、及び／又は後処理の場合に分注システムの音発生器を使用して発生させることができる上記少なくとも１つの音事象に関して音響信号を検査するための携帯端末デバイス、好ましくは、スマートフォン、タブレットコンピュータ、及び／又はウェアラブルデバイス、特にスマートウォッチ又はフィットネスアームバンドの使用。
【０３３３】
２１．実施された時に態様１９に記載の方法を実行するプログラムコード手段、特に、プロセッサ上に実施された時に態様１９に記載の方法を実施する命令を有するコンピュータ可読で好ましくは不揮発性のストレージ媒体を有するコンピュータプログラム製品。
【０３３４】
参照符号リスト
１  システム
２  物質
３  分注デバイス
３Ａ  カープル
３Ｂ  注射針
３Ｃ  アクチュエータ
３Ｄ  保護要素
３Ｅ  面構造
３Ｆ  相補的構造
３Ｇ  システム
３Ｈ  主本体
４Ａ  音発生器
４Ｂ  音発生器
４Ｃ  音発生器
４Ｄ  音発生器
４Ｅ  音発生器
５Ａ  音事象
５Ｂ  音事象
５Ｃ  音事象
５Ｄ  音事象
５Ｅ  音事象
６  信号
７  検出デバイス
８  マイクロフォン
９  プロセッサ
１０  出力デバイス
１１  インタフェース
１２  データリンク
１３  データベース
１４  結果
１５  分析デバイス
１６  相関モジュール
１７Ａ  第１の音事象パターン
１７Ｂ  第２の音事象パターン
１８  ２次パッケージング
１９  引裂きフラップ
２０  予め決められた切れ目線
２１  １次パッケージング
２２  レセプタクル
２３  フィルム
２４  接着剤
２５  付属デバイス
２６  バネアーム
２７  駆動要素
２８  第１の部分
２９  第２の部分
２９Ａ  スリーブ要素
２９Ｂ  装着要素
３０  係合フック
３１  係合要素
３２Ａ  第１の音発生要素
３２Ｂ  第２の音発生要素
３３  戻り止め
３４  針保護部
３５  切込み
３６Ａ  第１のガイド要素
３６Ｂ  第２のガイド要素
３６Ｃ  第３のガイド要素
３６Ｄ  第４のガイド要素
３７  アーム
３８  ハウジング
３９  スイッチ
４０  電子機器
４１  バッテリ
４２  電気音響変換器
４３  ピン
４４  プリント回路基板
Ａ  軸線
ｔ１  時間スパン
ｔ２  時間スパン
ｔ３  時間スパン
ｔ４  時間スパン
ｔ５  時間スパン
【図１】
2021533909.tif 000003
【図２Ａ】
2021533909.tif 000004
【図２Ｂ】
2021533909.tif 000005
【図３】
2021533909.tif 000006
【図４】
2021533909.tif 000007
【図５】
2021533909.tif 000008
【図６】
2021533909.tif 000009
【図７】
2021533909.tif 000010
【図８Ａ】
2021533909.tif 000011
【図８Ｂ】
2021533909.tif 000012
【図８Ｃ】
2021533909.tif 000013
【図９】
2021533909.tif 000014
【図１０】
2021533909.tif 000015
【図１１Ａ】
2021533909.tif 000016
【図１１Ｂ】
2021533909.tif 000017
【図１２Ａ】
2021533909.tif 000018
【図１２Ｂ】
2021533909.tif 000019
【図１３】
2021533909.tif 000020
【図１４】
2021533909.tif 000021
【国際調査報告】
2021533909.tif 000022
2021533909.tif 000023
2021533909.tif 000024
2021533909.tif 000025
2021533909.tif 000026
2021533909.tif 000027